(57)【特許請求の範囲】
【請求項１】
受信機デバイスによって実行される、通信ネットワークにおける干渉を緩和するための方法において、
識別子の関数として、複数の自由度の、複数に分かれたサブセットのうちから、サブセットを選択することと、
送信機デバイスから信号を受信するために、前記選択されたサブセットを監視することとを含み、
前記識別子は、送信機デバイスまたは受信機デバイスのうちの少なくとも１つによって決定され、
１自由度は、前記通信ネットワークの１通信リソースユニットに対応し、
ここにおいて、
前記通信リソースユニットは１つのトーンシンボルに対応し、自由度の数は、トーンシンボルの数に等しい、
前記通信リソースは、複数の自由度の、前記複数に分かれたサブセットへと分割され、前記複数に分かれたサブセットは固定されている、
前記複数に分かれたサブセットは、複数のリソースブロックを含み、それぞれのリソースブロックは、複数の自由度を含み、
第1のリソースブロックがレビューされ、該第1のリソースブロックがいくつの自由度を含むかが決定される、
後続する第2のリソースブロックがレビューされ、第2のリソースブロックに含まれる自由度の数が、第1のリソースブロックに含まれる上記自由度より少ない場合、衝突が存在するとして決定され、
衝突が存在するとして決定された場合、前記後続する第2のリソースブロック中の情報は無視される、
方法。
【請求項２】
前記方法は、
前記複数のリソースブロックのそれぞれの内で、少なくとも１つの自由度を選択することと、
それぞれの選択されたサブセットの自由度中で、前記受信信号のエネルギーの関数として、干渉送信機の数を推定することと、
前記干渉送信機の数が、干渉しきい値を超える場合、前記受信信号を破棄することと
をさらに含み、
前記自由度は、前記識別子の関数として選択され、
前記干渉送信機は、前記選択されたサブセット中で干渉信号を送信している、請求項1記載の方法。
【請求項３】
前記干渉送信機の数が、前記干渉しきい値を超えない場合、前記選択された自由度中の受信信号からのメッセージをデコードすることをさらに含む、請求項２記載の方法。
【請求項４】
前記受信信号のエネルギーが第１のエネルギーしきい値を超える、前記選択されたサブセットの自由度の数を推定することをさらに含み、前記干渉送信機の数は、前記推定された数の関数として決定される、請求項２記載の方法。
【請求項５】
リソースブロック内の自由度の数は固定されており、すべてのリソースブロックに対して同一であり、それぞれのリソースブロック内の選択された自由度の数は、前記リソースブロック内の自由度の数の半分より少ない、請求項４記載の方法。
【請求項６】
前記リソースブロック内の自由度の数は少なくとも４つであり、それぞれのリソースブロック内で、１つの自由度が選択される、請求項５記載の方法。
【請求項７】
１組の選択された自由度のうちで、前記受信信号のエネルギーが前記第１のエネルギーしきい値を超える自由度の第１の数を推定することと、
前記推定された第１の数が、前記第１のエネルギーしきい値を下回る場合、前記受信信号を破棄することと
をさらに含む、請求項４記載の方法。
【請求項８】
前記受信信号のエネルギーが第２のエネルギーしきい値を超える、リソースブロック中の自由度の第２の数を推定することと、
前記推定された第２の数と、前記推定された干渉送信機の数との関数として、前記リソースブロック中の選択された自由度中で受信された信号が、信頼可能であるか否かを決定することと、
前記信号が信頼可能でない場合、デコーディングにおいて、前記選択された自由度中の受信信号を破棄することと
をさらに含む、請求項４記載の方法。
【請求項９】
前記推定された第２の数が、前記推定された干渉送信機の数より多い場合、前記リソースブロック中の選択された自由度中で受信された信号は、信頼可能である、請求項８記載の方法。
【請求項１０】
前記受信信号はＯＦＤＭ信号であり、自由度はＯＦＤＭ信号中のトーンである、請求項1記載の方法。
【請求項１１】
ワイヤレス通信装置において、                                
識別子の関数として、複数の自由度の、複数に分かれたサブセットのうちから、サブセットを選択することと、
信号を受信するために、前記選択されたサブセットを監視することとに関連する命令を保持するメモリと、
前記メモリに結合されており、前記メモリ中に保持されている命令を実行するように構成されているプロセッサと
を具備し、
１自由度は、通信ネットワークの１通信リソースユニットに対応し、
前記識別子は、送信機デバイス、受信機デバイス、または、これらの組み合わせのうちの少なくとも１つによって決定される、
ここにおいて、前記通信リソースユニットは１つのトーンシンボルに対応し、自由度の数は、トーンシンボルの数に等しい、
前記通信リソースは、複数の自由度の、前記複数に分かれたサブセットへと分割され、前記複数に分かれたサブセットは固定されている、
前記複数に分かれたサブセットは、複数のリソースブロックを含み、それぞれのリソースブロックは、複数の自由度を含み、
第1のリソースブロックがレビューされ、該第1のリソースブロックがいくつの自由度を含むかが決定される、
後続する第2のリソースブロックがレビューされ、第2のリソースブロックに含まれる自由度の数が、第1のリソースブロックに含まれる上記自由度より少ない場合、衝突が存在するとして決定され、
衝突が存在するとして決定された場合、前記後続する第2のリソースブロック中の情報は無視される
ワイヤレス通信装置。
【請求項１２】
前記メモリは、
前記識別子に基づいて、前記複数のリソースブロックのそれぞれにおいて、少なくとも１つの自由度を選択することと、
それぞれの選択されたサブセット中の自由度中で、前記受信信号のエネルギーに基づいて、干渉送信機の数を推定することと、
前記干渉送信機の数が、干渉しきい値を超える場合、前記受信信号を破棄すること、または、前記干渉送信機の数が、前記干渉しきい値を超えない場合、前記選択された自由度中の受信信号からのメッセージをデコードすることと
に関連するさらなる命令を保持する、請求項１１記載のワイヤレス通信装置。
【請求項１３】
前記メモリは、
前記受信信号のエネルギーが第１のエネルギーしきい値を超える、前記選択されたサブセットの自由度の数を推定することに関連するさらなる命令を保持し、
前記干渉送信機の数は、前記推定された数の関数として決定される、請求項１２記載のワイヤレス通信装置。
【請求項１４】
リソースブロック内の自由度の数は固定されており、すべてのリソースブロックに対して同一であり、それぞれのリソースブロック内の選択された自由度の数は、前記リソースブロック内の自由度の数の半分より少ない、請求項１３記載のワイヤレス通信装置。
【請求項１５】
前記メモリは、
１組の選択された自由度のうちで、前記受信信号のエネルギーが前記第１のエネルギーしきい値を超える自由度の第１の数を推定することと、
前記推定された第１の数が、前記第１のエネルギーしきい値を下回る場合、前記受信信号を破棄することと
に関連する命令をさらに保持する、請求項１３記載のワイヤレス通信装置。
【請求項１６】
前記メモリは、
前記受信信号のエネルギーが第２のエネルギーしきい値を超える、リソースブロック中の自由度の第２の数を推定することと、
前記リソースブロック中の選択された自由度中で受信された信号が、信頼可能であるか否かを決定することと、
前記信号が信頼可能でない場合、デコーディングにおいて、前記選択された自由度中の受信信号を破棄することと
に関連する命令をさらに保持する、請求項１３記載のワイヤレス通信装置。
【請求項１７】
前記推定された第２の数が、前記推定された干渉送信機の数より多い場合、前記リソースブロック中の選択された自由度中で受信された信号は、信頼可能である、請求項１３記載のワイヤレス通信装置。
【請求項１８】
前記信頼性の決定は、前記推定された第２の数と、前記推定された干渉送信機の数との関数であり、前記推定された第２の数が、前記推定された干渉送信機の数より大きい場合、前記信号は信頼可能である、請求項１２記載のワイヤレス通信装置。
【請求項１９】
通信ネットワークにおける干渉を緩和するワイヤレス通信装置において、
選択された識別子の関数として、複数の自由度の、複数に分かれたサブセットのうちから、サブセットを選択する手段と、ピアノードから信号を受信するために、前記選択されたサブセットをレビューする手段と、を具備し、
１自由度は、前記通信ネットワークの１通信リソースユニットに対応し、
前記通信リソースは、複数の自由度の、前記複数に分かれたサブセットへと分けられる、
ここにおいて、前記通信リソースユニットは１つのトーンシンボルに対応し、自由度の数は、トーンシンボルの数に等しい、
前記複数に分かれたサブセットは、複数のリソースブロックを含み、それぞれのリソースブロックは、複数の自由度を含み、
第1のリソースブロックがレビューされ、該第1のリソースブロックがいくつの自由度を含むかが決定される、
後続する第2のリソースブロックがレビューされ、第2のリソースブロックに含まれる自由度の数が、第1のリソースブロックに含まれる上記自由度より少ない場合、衝突が存在するとして決定され、
衝突が存在するとして決定された場合、前記後続する第2のリソースブロック中の情報は無視される
ワイヤレス通信装置。
【請求項２０】
前記通信装置は、
前記識別子の関数として、前記複数のリソースブロックのそれぞれの内で、少なくとも１つの自由度を選択する手段と、
それぞれ選択されたサブセット中の自由度中の受信信号のエネルギーに基づいて、干渉送信の数を計算する手段と、
干渉送信機の数に基づいて、前記受信信号からのメッセージを選択的にデコードする手段と
をさらに具備する、請求項１９記載のワイヤレス通信装置。
【請求項２１】
前記干渉送信機の数が、前記干渉しきい値を超えない場合、前記メッセージがデコードされ、または、前記干渉送信機の数が、前記干渉しきい値を超える場合、前記受信信号は破棄される、請求項２０記載のワイヤレス通信装置。
【請求項２２】
１組の選択された自由度のうちで、前記受信信号のエネルギーが前記第１のエネルギーしきい値を超える自由度の第１の数を推定する手段と、
前記推定された第１の数が、前記第１のエネルギーしきい値を下回る場合、前記受信信号を破棄する手段と
をさらに具備する、請求項２０記載のワイヤレス通信装置。
【請求項２３】
前記受信信号のエネルギーが第２のエネルギーしきい値を超える、リソースブロック中の自由度の第２の数を推定する手段と、
前記推定された第２の数と、前記推定された干渉送信機の数との関数として、前記リソースブロック中の選択された自由度中で受信された信号が、信頼可能であるか否かを決定する手段と、
前記信号が信頼可能でない場合、デコーディングにおいて、前記選択された自由度中の受信信号を破棄する手段と
をさらに具備する、請求項２０記載のワイヤレス通信装置。
【請求項２４】
コンピュータ実行可能命令を有するコンピュータ読取可能記録媒体において、
前記コンピュータ実行可能命令は、コンピュータに、識別子の関数として、複数の自由度の、複数に分かれたサブセットのうちから、サブセットを選択させるための第１の組のコードと、前記コンピュータに、信号を受信させるために、前記選択されたサブセットを評価させるための第２の組のコードとを含み、
前記識別子は、送信機デバイス、受信機デバイス、または、送信機デバイスと受信機デバイスの両方のうちの少なくとも１つによって決定され、
１自由度は、前記通信ネットワークの１通信リソースユニットに対応する、
ここにおいて、前記通信リソースユニットは１つのトーンシンボルに対応し、
自由度の数は、トーンシンボルの数に等しい、
前記複数に分かれたサブセットは、複数のリソースブロックを含み、それぞれのリソースブロックは、複数の自由度を含み、
第1のリソースブロックがレビューされ、該第1のリソースブロックがいくつの自由度を含むかが決定される、
後続する第2のリソースブロックがレビューされ、第2のリソースブロックに含まれる自由度の数が、第1のリソースブロックに含まれる上記自由度より少ない場合、衝突が存在するとして決定され、
衝突が存在するとして決定された場合、前記後続する第2のリソースブロック中の情報は無視される、
【請求項２５】
前記コンピュータ実行可能命令は、
前記コンピュータに、前記複数のリソースブロックのそれぞれの内で、少なくとも１つの自由度を選択させるための第３の組のコードと、
前記コンピュータに、それぞれの選択されたサブセットの自由度中で、前記受信信号のエネルギーの関数として、干渉送信機の数を推定させるための第４の組のコードと、
前記コンピュータに、前記干渉送信機の数が、干渉しきい値を超える場合、前記受信信号を破棄させるための第５の組のコードと
をさらに含み、
前記自由度は、前記識別子の関数として選択され、
前記干渉送信機は、前記選択されたサブセット中で干渉信号を送信している、請求項２４記載のコンピュータ読取可能記録媒体。
【請求項２６】
前記コンピュータ実行可能命令は、
前記コンピュータに、１組の選択された自由度のうちで、前記受信信号のエネルギーが前記第１のエネルギーしきい値を超える自由度の第１の数を推定させるための第６の組のコードと、
前記コンピュータに、前記推定された第１の数が、前記第１のエネルギーしきい値を下回る場合、前記受信信号を破棄させるための第７の組のコードと
をさらに含む、請求項２５記載のコンピュータ読取可能記録媒体。
【請求項２７】
前記コンピュータ実行可能命令は、
前記コンピュータに、前記受信信号のエネルギーが第２のエネルギーしきい値を超える、リソースブロック中の自由度の第２の数を推定させるための第６の組のコードと、
前記コンピュータに、前記推定された第２の数と、前記推定された干渉送信機の数との関数として、前記リソースブロック中の選択された自由度中で受信された信号が、信頼可能であるか否かを決定させるための第７の組のコードと、
前記コンピュータに、前記信号が信頼可能でない場合、デコーディングにおいて、前記選択された自由度中の受信信号を破棄させるための第８の組のコードと
をさらに含む、請求項２５記載のコンピュータ読取可能記録媒体。
【請求項２８】
中央スケジューラを持たない通信ネットワークにおける干渉を緩和するように構成されている少なくとも１つのプロセッサにおいて、
識別子の関数として、複数の自由度の、複数に分かれたサブセットのうちから、サブセットを選択する第１のモジュールと、
複数のリソースブロックのそれぞれの内で、少なくとも１つの自由度を選択する第２のモジュールと、
信号を受信するために、前記選択されたサブセットを監視する第３のモジュールと、
それぞれの選択されたサブセットの自由度中で受信された信号のエネルギーの関数として、干渉送信機の数を推定する第４のモジュールと、
前記推定された干渉送信機の数と、干渉しきい値との比較に基づいて、前記選択された自由度中の受信信号からのメッセージを選択的にデコードする第５のモジュールとを備え、
前記選択されたサブセットは、前記複数のリソースブロックを含む、
ここにおいて、
１自由度は、1つのトーンシンボルに対応し、自由度の数はトーンシンボルの数に等しい、
前記それぞれのリソースブロックは、複数の自由度を含み、
第1のリソースブロックがレビューされ、該第1のリソースブロックがいくつの自由度を含むかが決定される、
後続する第2のリソースブロックがレビューされ、第2のリソースブロックに含まれる自由度の数が、第1のリソースブロックに含まれる上記自由度より少ない場合、衝突が存在するとして決定され、
衝突が存在するとして決定された場合、前記後続する第2のリソースブロック中の情報は無視される
少なくとも１つのプロセッサ。
【請求項２９】
通信ネットワークにおける干渉を緩和させるために、送信デバイスを動作させるための方法において、
識別子の関数として、複数の自由度の、複数の排他的なに分かれたサブセットのうちから、サブセットを選択することと、前記選択されたサブセットを使用して、前記受信機デバイスに対して信号を送信することとを含み、
前記識別子は、送信機デバイス、受信機デバイス、または、これらの組み合わせのうちの少なくとも１つによって決定され、
１自由度は、前記通信ネットワークの１通信リソースユニットに対応する、
ここにおいて、前記通信リソースユニットは１つのトーンシンボルに対応し、
自由度の数は、トーンシンボルの数に等しい、
前記通信リソースは、複数の自由度の、前記複数に分かれたサブセットへと分割され、前記複数に分かれたサブセットは固定されている、
前記複数に分かれたサブセットは、複数のリソースブロックを含み、それぞれのリソースブロックは、複数の自由度を含み、
前記受信機デバイスにおいて、前記送信された信号が受信され、第1のリソースブロックがレビューされ、該第1のリソースブロックがいくつの自由度を含むかが決定される、
後続する第2のリソースブロックがレビューされ、第2のリソースブロックに含まれる自由度の数が、第1のリソースブロックに含まれる上記自由度より少ない場合、衝突が存在するとして決定され、
衝突が存在するとして決定された場合、前記後続する第2のリソースブロック中の情報は無視される、
方法。
【請求項３０】
前記方法は、
前記識別子の関数として、前記複数のリソースブロックのそれぞれの内で、少なくとも１つの自由度を選択することをさらに含み、
前記信号は、前記選択された自由度中で送信される、請求項２９記載の方法。
【請求項３１】
前記信号は、前記選択された自由度中で、位相および振幅変調スキームのうちの少なくとも１つを使用して送信され、
前記方法は、
前記選択された自由度のうちの少なくとも１つにおいて、パイロットを送信することをさらに含む、請求項３０記載の方法。
【請求項３２】
リソースブロック内の自由度の数は固定されており、すべてのリソースブロックに対して同一であり、それぞれのリソースブロック内の選択された自由度の数は、前記リソースブロック内の自由度の数の半分より少ない、請求項３０記載の方法。
【請求項３３】
前記リソースブロック内の自由度の数は少なくとも４つであり、それぞれのリソースブロック内で、１つの自由度が選択される、請求項３２記載の方法。
【請求項３４】
前記選択された自由度は、時間的にオーバーラップしない、請求項３０記載の方法。
【請求項３５】
前記送信信号はＯＦＤＭ信号であり、自由度はＯＦＤＭシンボル中のトーンである、請求項２９記載の方法。
【請求項３６】
前記送信された信号は、ページング信号であり、前記識別子は、前記受信機デバイスのページング識別子である、請求項２９記載の方法。
【請求項３７】
ワイヤレス通信装置において、
選択された識別子の関数として、複数の自由度の、複数に分かれたサブセットのうちから、サブセットを選択することと、
前記選択されたサブセットを使用して、受信機デバイスに対して信号を送信することとに関連する命令を保持するメモリと、
前記メモリに結合されており、前記メモリ中に保持されている命令を実行するように構成されているプロセッサとを具備し、
１自由度は、前記通信ネットワークの１通信リソースユニットに対応する、
ここにおいて、前記通信リソースユニットは１つのトーンシンボルに対応し、
自由度の数は、トーンシンボルの数に等しい、
前記複数に分かれたサブセットは、複数のリソースブロックを含み、それぞれのリソースブロックは、複数の自由度を含み、
前記受信機デバイスにおいて、前記送信された信号が受信され、第1のリソースブロックがレビューされ、該第1のリソースブロックがいくつの自由度を含むかが決定される、
後続する第2のリソースブロックがレビューされ、第2のリソースブロックに含まれる自由度の数が、第1のリソースブロックに含まれる上記自由度より少ない場合、衝突が存在するとして決定され、
衝突が存在するとして決定された場合、前記後続する第2のリソースブロック中の情報は無視される
ワイヤレス通信装置。
【請求項３８】
前記メモリは、
前記識別子の関数として、前記複数のリソースブロックのそれぞれの内で、少なくとも１つの自由度を選択することに関連するさらなる命令を保持し、
前記信号は、前記選択された自由度中で送信される、請求項３７記載のワイヤレス通信装置。
【請求項３９】
前記メモリは、
前記選択された自由度のうちの少なくとも１つにおいて、パイロットを送信することに関連するさらなる命令を保持し、
前記信号は、前記選択された自由度中で、位相および振幅変調スキームのうちの少なくとも１つを使用して送信される、請求項３８記載のワイヤレス通信装置。
【請求項４０】
それぞれのリソースブロック内の自由度の数は固定されており、すべてのリソースブロックに対して同一であり、それぞれのリソースブロック内の選択された自由度の数は、前記リソースブロック内の自由度の数の半分より少ない、請求項３８記載のワイヤレス通信装置。
【請求項４１】
通信ネットワークにおける干渉を緩和するワイヤレス通信装置において、
識別子の関数として、複数の自由度の、複数に分かれたサブセットのうちから、サブセットを選択する手段と、
前記選択されたサブセットを使用して、受信デバイスに対して信号を伝送する手段とを具備し、
１自由度は、前記通信ネットワークの１通信リソースユニットに対応する、
ここにおいて、前記通信リソースユニットは１つのトーンシンボルに対応し、
自由度の数は、トーンシンボルの数に等しい、
前記複数に分かれたサブセットは、複数のリソースブロックを含み、それぞれのリソースブロックは、複数の自由度を含み、
前記受信機デバイスにおいて、前記送信された信号が受信され、第1のリソースブロックがレビューされ、該第1のリソースブロックがいくつの自由度を含むかが決定される、
後続する第2のリソースブロックがレビューされ、第2のリソースブロックに含まれる自由度の数が、第1のリソースブロックに含まれる上記自由度より少ない場合、衝突が存在するとして決定され、
衝突が存在するとして決定された場合、前記後続する第2のリソースブロック中の情報は無視される、
ワイヤレス通信装置。
【請求項４２】
前記装置は、
前記識別子の関数として、前記複数のリソースブロックのそれぞれの内で、少なくとも１つの自由度を選択する手段をさらに具備し、
前記信号は、前記選択された自由度中で送信される、請求項４１記載のワイヤレス通信装置。
【請求項４３】
前記信号は、前記選択された自由度中で、位相および振幅変調スキームのうちの少なくとも１つを使用して送信され、
前記伝送する手段は、
前記選択された自由度のうちの少なくとも１つにおいて、パイロットを送信する、請求項４２記載のワイヤレス通信装置。
【請求項４４】
コンピュータ実行可能命令を有するコンピュータ読取可能記録媒体において、
前記コンピュータ実行可能命令は、
コンピュータに、識別子の関数として、複数の自由度の、複数に分かれたサブセットのうちから、サブセットを選択させるための第１の組のコードと、
前記コンピュータに、前記選択されたサブセットを使用して、受信機デバイスに対して信号を送信させるための第２の組のコードとを含み、
前記識別子は、送信機デバイス、受信機デバイス、または、これらの組み合わせのうちの少なくとも１つによって決定され、
１自由度は、通信ネットワークの１通信リソースユニットに対応し、
前記通信リソースは、複数の自由度の、前記複数に分かれたサブセットへと分割され、
前記複数に分かれたサブセットは固定されている、
ここにおいて、前記通信リソースユニットは１つのトーンシンボルに対応し、
自由度の数は、トーンシンボルの数に等しい、
前記複数に分かれたサブセットは、複数のリソースブロックを含み、それぞれのリソースブロックは、複数の自由度を含み、
前記受信機デバイスにおいて、前記送信された信号が受信され、第1のリソースブロックがレビューされ、該第1のリソースブロックがいくつの自由度を含むかが決定される、
後続する第2のリソースブロックがレビューされ、第2のリソースブロックに含まれる自由度の数が、第1のリソースブロックに含まれる上記自由度より少ない場合、衝突が存在するとして決定され、
衝突が存在するとして決定された場合、前記後続する第2のリソースブロック中の情報は無視される
コンピュータ読取可能記録媒体。
【請求項４５】
前記選択されたサブセットは、複数のリソースブロックを含み、それぞれのリソースブロックは、いくつかの自由度を含み、
前記コンピュータ実行可能命令は、
前記コンピュータに、前記識別子の関数として、前記複数のリソースブロックのそれぞれの内で、少なくとも１つの自由度を選択させるための第３の組のコードをさらに含み、前記信号は、前記選択された自由度中で送信される、請求項４４記載のコンピュータ読取可能記録媒体。
【請求項４６】
前記信号は、前記選択された自由度中で、位相および振幅変調スキームのうちの少なくとも１つを使用して送信され、
前記コンピュータ実行可能命令は、
前記コンピュータに、前記選択された自由度のうちの少なくとも１つにおいて、パイロットを送信させるための第３の組のコードをさらに含む、請求項４４記載のコンピュータ読取可能記録媒体。
【請求項４７】
中央スケジューラを持たない通信ネットワークにおける干渉を緩和するように構成されている少なくとも１つのプロセッサにおいて、
識別子の関数として、複数の自由度の、複数に分かれたサブセットのうちから、サブセットを選択する第１のモジュールと、
前記選択されたサブセットを使用して、受信機デバイスに対して信号を送信する第２のモジュールとを備え、
前記識別子は、送信機デバイスまたは受信機デバイスのうちの少なくとも１つによって決定され、
１自由度は、前記通信ネットワークの１通信リソースユニットに対応し、
前記送信信号は、ページング信号であり、
前記識別子は、前記受信機デバイスのページング識別子である、
ここにおいて、前記通信リソースユニットは１つのトーンシンボルに対応し、
自由度の数は、トーンシンボルの数に等しい、
前記複数に分かれたサブセットは、複数のリソースブロックを含み、それぞれのリソースブロックは、複数の自由度を含み、
前記受信機デバイスにおいて、前記送信された信号が受信され、第1のリソースブロックがレビューされ、該第1のリソースブロックがいくつの自由度を含むかが決定される、
後続する第2のリソースブロックがレビューされ、第2のリソースブロックに含まれる自由度の数が、第1のリソースブロックに含まれる上記自由度より少ない場合、衝突が存在するとして決定され、
衝突が存在するとして決定された場合、前記後続する第2のリソースブロック中の情報は無視される
少なくとも１つのプロセッサ。
【発明の詳細な説明】
【技術分野】
【０００１】
以下の記述は、一般的にワイヤレス通信に関連し、より詳細には、中央スケジューラを利用しない通信ネットワークにおいて干渉を緩和させることに関連する。
【背景技術】
【０００２】
ワイヤレス通信システムは、さまざまなタイプの通信を提供するために、広く配備されている。例えば、音声、データ、ビデオ等を、ワイヤレス通信システムを通して提供することができる。典型的なワイヤレス通信システム、すなわち、ネットワークは、複数のユーザに、１つ以上の共有リソースに対する接続を提供できる。例として、システムは、周波数分割多重化（ＦＤＭ）、時分割多重化（ＴＤＭ）、コード分割多重化（ＣＤＭ）、直交周波数分割多重化（ＯＦＤＭ）、および、その他のような、さまざまな多元接続技術を使用してもよい。
【０００３】
ワイヤレス通信ネットワークは、ユーザが位置している場所（建物の内部、または、外部）にかかわらず、および、ユーザが静止しているか、（例えば、車両中で、歩いていて、）移動しているかにかかわらず、情報を通信するために一般的に利用される。一般的に、ワイヤレス通信ネットワークは、基地局またはアクセスポイントと通信している移動体デバイスを通して確立される。アクセスポイントは、地理的範囲すなわちセルをカバーし、移動体デバイスが動作されるとき、移動体デバイスは、これらの地理的セルへと出入りすることができる。
【０００４】
ネットワークはまた、アクセスポイントを利用することなく、ピアツーピアデバイスだけを利用して構成させることもでき、または、ネットワークは、アクセスポイント（インフラストラクチャモード）と、ピアツーピアデバイスとの両方を含んでいてもよい。これらのタイプのネットワークは、アドホックネットワークとして呼ばれることもある。アドホックネットワークは、自己構成することができ、これにより、移動体デバイス（または、アクセスポイント）が、別の移動体デバイスから通信を受け取ったときに、他の移動体デバイスはネットワークに追加される。移動体デバイスがそのエリアを去るとき、それらは、ネットワークから動的に除去される。したがって、ネットワークのトポグラフィーは、常に変化させることができる。
【０００５】
時として、干渉を経験する信号もあるかもしれず、これは、他の信号からの強い干渉であるかもしれない。この干渉は、アドホックネットワーク中に駐在するランダムな配備によってもたらされるかもしれない。例えば、ピアツーピア アドホックネットワークにおいては、ブロードキャスト信号を送信する、何の中央オーソリティ（例えば、基地局）もない。したがって、ピアツーピアネットワーク内のデバイスによって、正式でない方法で同期が実行される。したがって、同一のワイヤレスリソースを使用している干渉送信機の数、および、それらの干渉レベルが未知であるため、ピアツーピア アドホックネットワークにおいてもたらされるかもしれない問題は、干渉である。
【概要】
【０００６】
以下では、１つ以上の観点の基本的な理解をもたらすために、このような観点の簡潔な概要を提示する。この概要は、すべての企図されている観点の幅広い全体像ではなく、あらゆる観点のうちのキーとなる、または、重要なエレメントを識別することや、あるいは、何らかの、または、あらゆる観点の範囲を描写することのいずれをも意図していない。その唯一の目的は、後で提示することになる、より詳細な説明に対する前置きとして、簡潔な形態で１つ以上の観点のいくつかの概念を提示することである。
【０００７】
１つ以上の観点と、これらの対応する開示にしたがうと、同一のワイヤレスリソースを使用している干渉送信機の数、および、それらの干渉レベルが未知であるという追加的な制約とともに、ある数のビットを伝送するために、あるワイヤレスリソースを使用することに関連して、さまざまな観点を記述する。
【０００８】
ある観点にしたがうのは、受信デバイスによって実行される、通信ネットワークにおいて干渉を緩和するための方法である。方法は、識別子の関数として、複数の自由度の、複数に分かれたサブセットのうちから、サブセットを選択することと、送信機デバイスから信号を受信するために、選択されたサブセットを監視することとを含む。識別子は、送信機デバイスまたは受信機デバイスのうちの少なくとも１つによって決定される。自由度は、通信ネットワークの通信リソースユニットに対応する。
【０００９】
別の観点は、メモリと、プロセッサとを具備するワイヤレス通信装置に関連する。メモリは、識別子の関数として、複数の自由度の、複数に分かれたサブセットのうちから、サブセットを選択することと、信号を受信するために、選択されたサブセットを監視することとに関連する命令を保持する。自由度は、通信ネットワークの通信リソースユニットに対応する。識別子は、送信機デバイス、受信機デバイス、または、これらの組み合わせのうちの少なくとも１つによって決定される。プロセッサは、メモリに結合されており、メモリ中に保持されている命令を実行するように構成されている。
【００１０】
さらなる観点は、通信ネットワークにおいて干渉を緩和するワイヤレス通信装置に関連する。通信装置は、選択された識別子の関数として、複数の自由度の、複数に分かれたサブセットのうちから、サブセットを選択する手段を具備する。自由度は、通信ネットワークの通信リソースユニットに対応し、通信リソースユニットは、複数の自由度の、複数に分かれたサブセットへと分けられる。通信装置はまた、ピアノードから信号を受信するために、選択されたサブセットをレビューする手段を具備する。
【００１１】
さらに別の観点は、コンピュータ読取可能媒体を有するコンピュータプログラム製品に関連する。コンピュータ読取可能媒体は、コンピュータに、識別子の関数として、複数の自由度の、複数に分かれたサブセットのうちから、サブセットを選択させるための第１の組のコードを含む。識別子は、送信機デバイス、受信機デバイス、または、送信機デバイスと受信機デバイスの両方のうちの少なくとも１つによって決定される。自由度は、通信ネットワークの通信リソースユニットに対応する。コンピュータ読取可能媒体はまた、コンピュータに、信号を受信させるために、選択されたサブセットを評価させるための第２の組のコードを含む。
【００１２】
また別の観点は、中央スケジューラを持たない通信ネットワークにおいて干渉を緩和するように構成されている少なくとも１つのプロセッサに関連する。プロセッサは、識別子の関数として、複数の自由度の、複数に分かれたサブセットのうちから、サブセットを選択する第１のモジュールを備える。選択されたサブセットは、複数のリソースブロックを含む。プロセッサはまた、複数のリソースブロックのそれぞれの内で、少なくとも１つの自由度を選択する第２のモジュールと、信号を受信するために、選択されたサブセットを監視する第３のモジュールとを備える。プロセッサはまた、それぞれの選択されたサブセットの自由度中の受信された信号のエネルギーの関数として、干渉送信機の数を推定する第４のモジュールを備える。さらに、プロセッサは、推定された干渉送信機の数と、干渉しきい値との比較に基づいて、選択された自由度中の受信信号からのメッセージを選択的にデコードする第５のモジュールを備える。
【００１３】
さらなる観点は、通信ネットワークにおいて干渉を緩和させるために、送信デバイスを動作させる方法に関連する。方法は、識別子の関数として、複数の自由度の、複数に分かれたサブセットのうちから、サブセットを選択することと、選択されたサブセットを使用して、受信機デバイスに対して信号を送信することとを含む。識別子は、送信機デバイス、受信機デバイス、または、これらの組み合わせのうちの少なくとも１つによって決定される。自由度は、通信ネットワークの通信リソースユニットに対応する。
【００１４】
別の観点は、メモリと、プロセッサとを具備するワイヤレス通信装置に関連する。メモリは、選択された識別子の関数として、複数の自由度の、複数に分かれたサブセットのうちから、サブセットを選択することと、選択されたサブセットを使用して、受信機デバイスに対して信号を送信することとに関連する命令を保持する。自由度は、通信ネットワークの通信リソースユニットに対応する。プロセッサは、メモリに結合されており、メモリ中に保持されている命令を実行するように構成されている。
【００１５】
さらに別の観点は、通信ネットワークにおいて、干渉を緩和するワイヤレス通信装置に関連する。通信装置は、識別子の関数として、複数の自由度の、複数に分かれたサブセットのうちから、サブセットを選択する手段を備える。通信装置はまた、選択されたサブセットを使用して、信号を伝送する手段を具備する。自由度は、通信ネットワークの通信リソースユニットに対応する。
【００１６】
依然として別の観点は、コンピュータ読取可能媒体を有するコンピュータプログラム製品に関連する。コンピュータ読取可能媒体は、コンピュータに、識別子の関数として、複数の自由度の、複数に分かれたサブセットのうちから、サブセットを選択させるための第１の組のコードを含む。識別子は、送信機デバイス、受信機デバイス、または、これらの組み合わせのうちの少なくとも１つによって決定される。自由度は、通信ネットワークの通信リソースユニットに対応する。通信リソースは、複数の自由度の、複数に分かれたサブセットへと分割され、複数に分かれたサブセットは固定されている。コンピュータ読取可能媒体はまた、コンピュータに、選択されたサブセットを使用して、受信機デバイスに対して信号を送信させるための第２の組のコードを含む。
【００１７】
さらなる観点は、中央スケジューラを持たない通信ネットワークにおいて干渉を緩和するように構成されている少なくとも１つのプロセッサに関連する。プロセッサは、識別子の関数として、複数の自由度の、複数に分かれたサブセットのうちから、サブセットを選択する第１のモジュールを備える。識別子は、送信機デバイスまたは受信機デバイスのうちの少なくとも１つによって決定される。自由度は、通信ネットワークの通信リソースユニットに対応する。プロセッサはまた、選択されたサブセットを使用して、受信機デバイスに対して信号を送信する第２のモジュールを備える。送信信号は、ページング信号であり、識別子は、受信機デバイスのページング識別子である。
【００１８】
前述の、および、関連する目的を達成するために、１つ以上の観点は、以下で完全に記述し、特許請求の範囲中で特に示す特徴を含む。以下の説明、および、添付の図面は、１つ以上の観点の特定の例示的な特徴を詳細に述べる。これらの特徴は、さまざまな観点の原則が用いられてもよい、さまざまな方法のうちのいくつかのものだけを示している。図面と共に考慮したときに、以下の詳細な説明から、他の特徴および新規な特徴が明らかになり、この記述は、あらゆるこのような観点と、それらの均等物を含むことが意図されている。
【図面の簡単な説明】
【００１９】
【図１】図１は、通信ネットワーク内で、通信のために利用可能な１組のリソースの概念的表現を図示する。
【図２】図２は、ある観点にしたがって、干渉を緩和する方法において情報を送信するためのシステムを図示する。
【図３】図３は、通信ネットワーク内のシグナリングおよび干渉の概念的表現を図示する。
【図４】図４は、ある観点にしたがって、干渉を緩和する方法において情報を受信する通信装置を図示する。
【図５】図５は、ある観点にしたがって、通信ネットワークにおいて、干渉を緩和する送信デバイスを動作させるための方法を図示する。
【図６】図６は、ある観点にしたがって、通信ネットワークにおいて、信号を送信するときに、干渉を緩和させるための方法を図示する。
【図７】図７は、ある観点にしたがって、通信ネットワークにおける、干渉を緩和するための方法を図示する。
【図８】図８は、ある観点にしたがって、通信ネットワークにおいて、信号を受信するときに、干渉を緩和させるための方法を図示する。
【図９】図９は、通信ネットワークにおいて、干渉を緩和する受信デバイスを動作させるための方法を図示する。
【図１０】図１０は、ある観点にしたがって、中央スケジューラのない通信ネットワークにおいて、干渉を緩和させるシステムを図示する。
【図１１】図１１は、ある観点にしたがって、通信ネットワークにおいて、干渉を緩和させるシステムを図示する。
【図１２】図１２は、１つ以上の開示する観点にしたがった例示的なワイヤレス端末を図示する。
【図１３】図１３は、ここで提示するさまざまな観点にしたがったワイヤレス通信システムを図示する。
【図１４】図１４は、さまざまな観点にしたがった例示的なワイヤレス通信システムを図示する。
【発明の詳細な説明】
【００２０】
図面に対する参照とともに、さまざまな実施形態をここで説明する。以下の説明では、説明の目的で、１つ以上の観点の完全な理解をもたらすために、いくつかの特定の詳細を述べる。しかしながら、これらの特定の詳細なしで、このような観点を実施してもよいことが明らかであってもよい。他の例では、これらの観点の説明を容易にするために、周知の構造とデバイスを、ブロック図の形態で示した。
【００２１】
この出願において使用するように、用語“コンポーネント”と、“モジュール”と、“システム”と、これらに類するものとは、コンピュータ関連のエンティティ、ハードウェアや、ファームウェアや、ハードウェアとソフトウェアの組み合わせや、ソフトウェアや、または、実行中のソフトウェアのいずれかを指すことが意図されている。例えば、コンポーネントは、これらに制限されないが、プロセッサ上で実行されているプロセス、プロセッサ、オブジェクト、実行ファイル（executable）、実行スレッド、プログラム、および／または、コンピュータであってもよい。説明のために、コンピューティングデバイス上で実行されているアプリケーションと、コンピューティングデバイスとの両方が、コンポーネントであってもよい。１つ以上のコンポーネントは、プロセスおよび／または実行スレッド内に駐在することができ、コンポーネントは、１つのコンピュータ上に配置されていてもよく、および／または、２つ以上のコンピュータの間で分散されていてもよい。さらに、これらのコンポーネントは、そこに記憶されたさまざまなデータ構造を持っているさまざまなコンピュータ読取可能媒体から実行されることができる。コンポーネントは、１つ以上のデータパケットを持っている信号（例えば、ローカルシステム、分散システムにおいて、別のコンポーネントと対話している１つのコンポーネントからのデータ、および／または、インターネットのようなネットワークを介して他のシステムと信号によって、対話している１つのコンポーネントからのデータ）にしたがうことのように、ローカルおよび／またはリモートのプロセスを介して通信してもよい。
【００２２】
さらに、移動体デバイスに関連して、ここで、さまざまな観点を記述する。移動体デバイスは、システムや、加入者ユニットや、加入者局や、移動局や、移動体や、ワイヤレス端末や、ノードや、デバイスや、リモート局や、リモート端末や、アクセス端末や、ユーザ端末や、端末や、ワイヤレス通信デバイスや、ワイヤレス通信装置や、ユーザエージェントや、ユーザデバイスや、または、ユーザ装置（ＵＥ）、および、これらに類するものと呼ばれてもよく、これらの機能のいくつかのもの、または、すべてのものを備えていてもよい。移動体デバイスは、セルラ電話機や、コードレス電話機や、セッション開始プロトコル（ＳＩＰ）電話機や、スマートフォンや、ワイヤレスローカルループ（ＷＬＬ）局や、パーソナルデジタルアシスタント（ＰＤＡ）や、ラップトップハンドヘルド通信デバイスや、ハンドヘルドコンピューティングデバイスや、衛星無線や、または、ワイヤレスモデムカード、および／または、ワイヤレスシステムにわたって通信するための他の処理デバイスであってもよい。さらに、基地局に関連して、ここで、さまざまな観点を記述する。基地局は、ワイヤレス端末と通信するために利用されることができ、アクセスポイント、ノード、ノードＢ、ｅ−ノードＢ、ｅ−ＮＢ、または、他の何らかのネットワークエンティティとして呼ばれてもよく、これらの機能のいくつかのもの、または、すべてのものを備えていてもよい。
【００２３】
さまざまな観点または特徴を、いくつかのデバイス、コンポーネント、モジュール、および、これらに類するものを含んでいてもよいシステムに関して提示することにする。さまざまなシステムは、追加的なデバイス、コンポーネント、モジュール、等を含んでいてもよく、および／または、図面に関連して記述したデバイス、コンポーネント、モジュール、等のすべてを含んでいなくてもよいことが理解され、認識されることになる。これらのアプローチの組み合わせもまた使用してもよい。
【００２４】
さらに、主題の記述において、用語“例示的”は、例として、事例として、あるいは、例示として働くことを意味するために使用されている。ここで“例示的”として記述した任意の観点または設計は、必ずしも他の観点または設計より好ましい、または有利であるとして解釈すべきではない。むしろ、用語、例示的の使用は、概念を具体的な方法で提示することを意図している。
【００２５】
図１は、通信ネットワーク内で、通信のために利用可能な１組のリソース１００の概念的表現を図示する。水平軸１０２は時間を表し、垂直軸１０４は、周波数を表す。そのいくつかのものを１０６としてラベル付けした、垂直列は、所定のシンボル期間中のリソース（例えば、トーン）を表す。ボックス１０８のような、それぞれの小さいボックスは、トーンシンボルを表現し、これは、単一の送信シンボル期間にわたっての単一のトーンである。ＯＦＤＭシンボル中の1つの自由度は、トーンシンボル１０８であり、ワイヤレスリソースの1つの基本的ユニットを表現している。いくつかの観点にしたがうと、１組のリソース１００は、Ｎ個の自由度を持っていてもよく、ここでＮは整数である。
【００２６】
説明の目的で、Ｎ個の自由度を持つワイヤレスリソースを仮定する。このリソースは、未知の数の通信対によって共有されている。それぞれの通信対は、いくつかのビットを通信したがっている。さらに、これらの通信対の間でリソースを割り振るための、何の中央コーディネータも無い。単純な解決法は、Ｎの自由度を個別のサブセットへと分割し、それぞれの通信対が、サブセットのうちの１つをランダムに選択し、そのサブセット全体上において送信することを含むだろう。これは、ランダムアクセススキームに類似しており、衝突（例えば、２つ以上の通信対が、その上で通信するための同一のサブセットを選ぶこと）のケースにおいて、潜在的な失敗を持っているかもしれない。開示する観点は、干渉の状況、および、支配的な干渉者（例えば、干渉している送信機）が通信の失敗（例えば、干渉）をもたらす状況を克服する。
【００２７】
１組のＮ個の自由度は、例えば、Ｋ＝Ｎ／Ｍである、Ｍ個に分かれたサブセットへと分割することができ、ここで、Ｋは、それぞれのサブセット中の自由度の数である。１つの観点では、合計Ｎ個の自由度を、Ｍ個に分かれたサブセットへと分けることは、固定されており、予め定められた方法で分割される。
【００２８】
説明の目的で、以下において、垂直軸に沿って２８のトーンを含み、水平軸に沿って５６のシンボルを含むワイヤレスリソースを説明することにする。２８のトーンは、垂直軸１０４の左側に沿って、１、２、・・・１４として図示したような、１４個のトーンサブセットへと分割することができ、それぞれのトーンサブセットは、２つの隣接トーンを含む。次に、Ｍ＝１４であり、自由度のそれぞれに分かれたサブセットは、複数のリソースブロックを含む。例えば、５６シンボルが、水平軸１０２の上部に沿って、１、２、３、４、・・・２８として図示したように、２８の異なるシンボルサブセットへと分割されている、水平分割があり、それぞれのシンボルサブセットは、２つの隣接シンボルを含む。この例では、リソースブロックは、２つの隣接シンボルにわたって、２つの隣接トーンを含む。１つの観点では、サブセットを複数のリソースブロックへと分けることは、固定されており、予め定められた方法で実行される。
【００２９】
ある観点にしたがって、干渉を緩和する方法において情報を送信するためのシステム２００を図示する、図２もまた参照して、さらなる観点をここで記述する。システム２００中に通信装置２０２が含まれていてもよく、システム２００は、（例えば、第１の通信装置が、第２の通信装置と対にされる）通信対として互いに通信する、複数の通信装置を含む通信ネットワークであってもよい。いくつかの観点にしたがうと、通信ネットワークは、中央スケジューラを含んでいない。
【００３０】
通信装置２０２は、チャネル２０４を通してデータを送信するとして示した。データを送信しているとして示したが、通信装置２０２は、チャネル２０４を通してデータを受信することもできる（例えば、通信装置２０２は、実質的に同時にデータ送受信できてもよく、通信装置２０２は、異なる時間においてデータ送受信できてもよく、または、これらの組み合わせであってもよい）。
【００３１】
ここで、送信デバイス、または、デバイスＡとして呼ぶこともある通信装置２０２は、受信デバイス、または、デバイスＢとして呼ぶこともある別の装置２０６とともに対にされてもよい。通信装置２０２に含まれるものは、その上で送信するための、Ｍ個に分かれたサブセットのうちの１つを選択（および、そのサブセット全体上で送信）するように構成されているサブセット選択器２０８である。したがって、サブセット選択器２０８は、（図１の）垂直軸１０４に沿った、（１から１４の）Ｍ個に分かれたサブセットのうちから、１つを選択できる。サブセット選択は、送信デバイス２０２、受信デバイス２０６、または、送信デバイス２０２と受信デバイス２０６の両方によって決定される識別子に基づいていてもよい。例えば、送信デバイス２０２が、受信デバイス２０６に対してページング信号を送ろうとしている場合、識別子は、受信デバイス２０６のページング識別子であってもよい。したがって、たとえ、受信デバイス２０６が、送信デバイス２０２の識別子を知らない場合であっても、受信デバイス２０６は、依然として、可能性あるページング信号に対する正しいサブセットを監視することができる（例えば、受信デバイス２０６は、受信デバイスの識別子に基づいて、どのサブセットを監視すべきかを知る）。
【００３２】
それぞれのＭ個に分かれたサブセットは、複数のリソースブロックを含む。それぞれのリソースブロックは、複数の自由度を含む。例えば、図１において、それぞれのリソースブロックは、４つの自由度を含む。図１の右下の角に図示したリソースブロックは、１１０、１１２、１１４、および、１１６のようにラベル付けされた４つの自由度を含む。それぞれの自由度は、通信ネットワークの通信リソースユニットに対応する。
【００３３】
また、通信装置２０２に含まれるものは、選択されたＭ個のサブセット内のそれぞれのリソースブロック中で、Ｋ個の自由度のうちの少なくとも１つを選択するように構成されている、リソース選択器２１０である。例えば、リソース選択器２１０は、図１中の黒色のボックス（例えば、ボックス１１８）によって図示するような、さまざまな自由度を選択でき、ここで、選択されたサブセットにそって、それぞれのリソースブロック中に、１つの黒色のボックス（選ばれた自由度）がある。いくつかの観点にしたがうと、リソース選択器２１０は、識別子に基づいて、自由度を選択することができる。
【００３４】
また、通信装置２０２に含まれるものは、選択されたリソース上で情報を送信するように構成されている送信機２１２である。いくつかの観点にしたがうと、送信機２１２は、選択されたリソースのうちのいくつかのものを使用して、パイロットを送信でき、残りの選択されたリソースを使用して、あるメッセージ情報（例えば、ページングメッセージ）を伝送するための位相および／または振幅変調された信号を送信できる。
【００３５】
送信デバイス２０２が、信号を意図された受信デバイス２０６に対して送信するとき、信号は、選ばれたサブセット中のリソースブロック中の選択された自由度（例えば、図１中の黒色のボックス）にわたって送信される。（示していない）別の送信デバイスが送信しているとき、そのデバイスは、同一のサブセットを選択しているかもしれず、それぞれのリソースブロック中の１つの自由度をさらに選択しているかもしれない。所定のリソースブロックにおいて、２つ（以上の）送信デバイスが、同一の、または、異なる自由度を選択するかもしれない。少なくとも２つの送信デバイスが、同一の自由度を選択したとき、信号は衝突する。
【００３６】
メモリ２１４は、通信装置２０２に動作可能に結合されていてもよい。メモリ２１４は、通信装置２０２に対して外付けであってもよく、通信装置２０２の内部に駐在していてもよい。メモリ２１４は、Ｍ個に分かれたサブセットのうちの１つを選択することと、選択されたサブセットのそれぞれのブロック内の自由度を選択することと、選択された自由度上で信号を送信することとに関連する情報を記憶できる。さらに、メモリ２１４は、通信ネットワーク中で送受信された信号に関連する、他の適切な情報を記憶してもよい。プロセッサ２１６は、通信装置２０２（および／または、メモリ２１４）に動作可能に結合されていてもよく、通信ネットワーク中での情報送信の分析を容易にしてもよい。プロセッサ２１６は、通信装置２０２によって受信された情報を解析および／または発生させることに専用のプロセッサであってもよく、システム２００の１つ以上のコンポーネントを制御するプロセッサであってもよく、および／または、通信装置２００によって送信された情報を解析および生成させ、また、システム２００の１つ以上のコンポーネントを制御するプロセッサであってもよい。
【００３７】
ここで記述するような、ワイヤレスネットワークにおける改善された通信を達成するために、システム２００が記憶されたプロトコルおよび／またはアルゴリズムを用いることができるように、メモリ２１４は、中央スケジューラのない通信ネットワークにおいて、干渉を緩和させることと、通信装置２０２と他のデバイスとの間の通信を制御するための行動をとることとに関連するプロトコルを記憶できる。ここで記述するデータ記憶（例えば、メモリ）コンポーネントは、揮発性メモリ、または、不揮発性メモリのいずれかであってもよく、あるいは、揮発性メモリと不揮発性メモリの両方を含んでもよいことを理解すべきである。例示としてであって、制限としてではなく、不揮発性メモリは、読出専用メモリ（ＲＯＭ）、プログラム可能ＲＯＭ（ＰＲＯＭ）、電気的プログラム可能ＲＯＭ（ＥＰＲＯＭ）、電気的消去可能プログラム可能ＲＯＭ（ＥＥＰＲＯＭ）、または、フラッシュ（登録商標）メモリを含んでもよい。揮発性メモリは、外部キャッシュメモリとして動作する、ランダムアクセスメモリ（ＲＡＭ）を含んでもよい。例示としてであって、制限としてではなく、ＲＡＭは、同期ＲＡＭ（ＳＲＡＭ）、動的ＲＡＭ（ＤＲＡＭ）、同期ＤＲＡＭ（ＳＤＲＡＭ）、二重データレートＳＤＲＡＭ（ＤＤＲ ＳＤＲＡＭ）、拡張ＳＤＲＡＭ（ＥＳＤＲＡＭ）、同期リンクＤＲＡＭ（ＳＬＤＲＡＭ）、および、ダイレクトラムバスＲＡＭ（ＤＲＲＡＭ（登録商標））のような数多くの形態で利用可能である。開示した観点のメモリは、制限されることなく、これらの、および、他の適切なタイプのメモリを含むことを意図している。
【００３８】
上に記述したように、通信ネットワーク中に、複数の通信対があってもよい。例えば、図３は、通信ネットワーク内のシグナリングおよび干渉の概念的表現３００を図示する。図示したのは、４つのデバイス、すなわち、デバイスＡ３０２、デバイスＢ３０４、デバイスＣ３０６、および、デバイスＤ３０８である。デバイスＡ３０２は、デバイスＢ３０４に対して、信号３１０を送信しようとしている。信号は、デバイスＡ３０２がデバイスＢ３０４と接続を確立することを意図することを示す、ページング信号であってもよい。実質的に同時に、デバイスＣは、デバイスＤ３０８に対して、信号３１２を送信しようとしている。デバイスＢ３０４が、信号３１０とともに、デバイスＣ３０６からの干渉信号３１４も受信するというように、これらの２つの信号３１０および３１２は、互いに干渉するかもしれない。したがって、デバイスＣ３０６は、デバイスＢ３０４に関する限り、干渉送信者である。同様な方法で、デバイスＤ３０８は、信号３１２と、デバイスＡ３０２からの干渉信号３１６とを受信するかもしれない。したがって、時として、デバイスＡ３０２は、デバイスＤ３０８に関する限り、干渉送信者であるかもしれない。
【００３９】
しかしながら、図示したネットワーク３００のような、いくつかの通信ネットワークでは、デバイスＡ３０２とデバイスＣ３０６との間でリソースをスケジュールするための何の中央オーソリティもない。したがって、３１４および３１６において図示した相互干渉を緩和するための何の制御装置も無い。さらに、中央オーソリティがないので、デバイスＡ３０２およびＣ３０６の送信を認可する何のエンティティもない。この詳細な説明の目的で、デバイスＡ３０２およびＢ３０４の振る舞いは、デバイスＣ３０６およびＤ３０８の振る舞いに類似している。さらに、簡潔さのために、４つのデバイスだけを図示したが、通信ネットワークは、任意の数のデバイスを持っていてもよいことを理解すべきである。
【００４０】
上に記述したように、複数の通信対があってもよい。送信デバイス（例えば、図２の装置２０２、ノードＡ３０２、および／または、ノードＣ３０６）は、その上で送信することになる、Ｍ個の排他的サブセットのうちの１つを選択し、その選択されたサブセット内で、受信デバイス（例えば、図２の装置２０６、ノードＢ３０４、および／または、ノードＤ３０８）の識別子に基づいて、それぞれのリソースブロック中の少なくとも１つの自由度を選択する。受信デバイス（例えば、デバイスＢ３０４およびデバイスＤ３０８）は、例えば、それらのそれぞれのＩＤに基づいて、その上で、彼らが情報を受信すべき、Ｍ個のサブセットを知っている。デバイスＢ３０４およびＤ３０８に対するリソースが、異なるサブセットに対して偶然にマッピングされる場合、信号は干渉しないだろう。しかしながら、デバイスＡ３０２およびＣ３０６が、同一のサブセットを選択するような状況において、干渉が起こるかもしれない。例えば、デバイスＡ３０２およびＣ３０６が、同一のサブセットを偶然に選択し、（図１の）ブロック１１８によって図示した、そのサブセット内の少なくとも１つのリソースブロック中の同一の自由度を偶然に選択するかもしれないケースを考慮する。この状況において、両方のデバイスに対する情報が、同一のリソース上で送られたので、衝突が発生することになる。リソースの選択は、時間インターバルごとに決定されること、したがって、引き続く時間インターバルにおいて、衝突は発生しないこと（例えば、次のシグナリング時間インターバルにおいて、デバイスＡ３０２およびＣ３０６が、異なるリソースを選択すること）に留意すべきである。
【００４１】
図４は、ある観点にしたがって、干渉を緩和するような方法で、情報を受信するシステム４００を図示する。システム４００に含まれるのは、チャネル４０４を通してデータを受信することになるとして示した通信装置４０２である。データを受信するとして示したが、通信装置４０２はまた、チャネル４０４を通してデータを送信することもできる（例えば、通信装置４０２は、実質的に同時にデータを送受信でき、通信装置４０２は、異なる時間においてデータを送受信でき、または、これらの組み合わせであってもよい）。
【００４２】
通信装置４０２はまた、受信デバイスとしても呼ばれるが、その上で情報が受信されることが予測される、自由度について気付いている（例えば、前述の図面を参照して説明したように、送信デバイスは、送信デバイス４０６、受信デバイス４０２、または、これらの組み合わせによって決定された識別子に基づいて、サブセットを選択した）。情報を受信およびデコードするための単純な戦略は、通信装置４０２にとって、予測される自由度をレビューして、これらの自由度上の情報をデコードしようと試みることである。しかしながら、この単純な戦略は、潜在的な衝突を考慮に入れておらず、さらに、干渉の緩和をもたらさない。
【００４３】
したがって、通信装置４０２は、干渉が存在するか（例えば、２つ以上の送信デバイスが、少なくとも１つのリソースブロック中で、同一のサブセット、および、同一の自由度を選択しているか）否かを決定すべきである。衝突があるとして決定された場合、そのトーンは、信頼可能でないとして考慮され、装置４０２は、そのトーンをデコードしようとしないだろう。
【００４４】
装置４０２は、複数の排他的サブセットの自由度から、あるサブセットを選択するように構成されている、サブセット決定器４０８を備える。サブセットは、受信デバイス４０２、送信デバイス４０６、または、受信デバイス４０２と送信デバイス４０６との両方によって決定できる、識別子の関数として選択されてもよい。自由度は、通信ネットワークの通信リソースユニットに対応する。装置４０２には、観察モジュール４１０もまた含まれており、これは、送信デバイス４０６からの信号を受信するために選択されたサブセットを監視するように構成されている。選択されたサブセット上にエネルギーがある場合、エネルギーは、受信デバイス４０２に対して意図されている信号があるかもしれないことを示す。いくつかの観点にしたがうと、受信信号は、ＯＦＤＭ信号であり、自由度はＯＦＤＭシンボル中のトーンである。
【００４５】
サブセット決定器４０８によって選択されたサブセットは、複数のリソースブロックを含んでいてもよい。それぞれのリソースブロックは、いくつかの自由度を含んでもよい。したがって、いくつかの観点にしたがうと、装置４０２は、識別子の関数として、それぞれの複数のリソースブロック内で、少なくとも１つの自由度を選択する、自由度選択器４１２を備える。エネルギー評価器４１４は、選択されたサブセットの自由度中の受信信号のエネルギーの関数として、干渉送信機の数を推定するように構成されている。干渉評価器４１６は、干渉送信機の推定された数が、特定の干渉しきい値を超えるか否かを決定するように構成されていてもよい。干渉しきい値が超えられる場合、デコーダ４１８は、受信信号を破棄できる。干渉評価器４１６が、干渉送信機の数が干渉しきい値を超えていないとして決定する場合、デコーダ４１８は、選択された自由度中の受信信号からのメッセージをデコードできる。
【００４６】
いくつかの観点にしたがうと、エネルギー評価器４１４は、選択されたサブセット中の特定のリソースブロック中の自由度の数をレビューして、そのリソースブロック中のエネルギーを有する自由度の数を推定するように構成されていてもよい。このことは、所望の送信機とともに、干渉送信機を含む、そのリソースを使用している送信機の総数の表示をもたらす。例えば、ブロックが、エネルギーを有する２つの自由度を持っている場合、このことは、少なくとも２つの送信機が同一のサブセットを利用していることを示す。いくつかの観点にしたがうと、受信信号のエネルギーが、エネルギーのしきい値レベルを超えるときに、エネルギーを有する自由度の数が推定される。
【００４７】
例えば、図１の例では、装置４０２だけがメッセージを受信している（例えば、他の何のデバイスもそのリソースを使用していない）場合、全体のサブセット中には、エネルギーを有するトーンは、２８個だけ存在するべきである。しかしながら、別の送信デバイスが、同一のサブセット上で送信している場合、２８個より多くの、エネルギーを有するトーンが存在することになるかもしれない。エネルギーを有するトーンの総数に基づいて、装置４０２は、同一のサブセットを選択した干渉送信機の潜在的な数を決定できる。
【００４８】
干渉者の数の決定は、ブロック解析によって、ブロック上で実行できる。４つの自由度を含んでいる、第１のリソースブロックがレビューされてもよく、２つのトーンがエネルギーを持つ場合、このことは、２つ以上の送信機が存在することを示す。後続するブロックが、エネルギーを有するトーンを１つだけ持つ場合、このことは、衝突が存在する（例えば、複数の送信機が同一のトーンで信号を送信している）ことを示す。衝突が存在する場合、そのブロック中の情報は、信頼可能でないとして考慮され、無視されてもよい。通信対の数が、しきい値の送信機数（例えば、３つの送信機）より多いとして決定される場合、デコーディングは、サブセット全体に対しては試みられないかもしれない。
【００４９】
いくつかの観点にしたがうと、受信信号のエネルギーはエネルギーしきい値を超えるかもしれない。このケースでは、エネルギー評価器４１４は、選択された自由度の組の間で、自由度の第１の数を推定できる。例えば、信号が実際に装置４０２に対して送られた場合、装置４０２は、サブセットのリソースブロック中の選択された自由度（例えば、図１中の黒色のボックス）中の信号エネルギーを予測するだろう。この推定に基づいて。干渉評価器４１６は、第１の数が、第１のエネルギーしきい値を下回るか否かを決定でき、このことは、十分でない数の自由度がエネルギーを有するとして推定されることを示す。推定が、第１のエネルギーしきい値を下回るとき、装置４０２は、何の意図された信号も無いとして結論付けし、したがって、デコーダ４１８は、受信信号を破棄する。
【００５０】
さらに、エネルギー評価器４１４は、その中で、受信信号のエネルギーが第２のしきい値を超える、リソースブロック中の第２の数の自由度を推定できる。干渉評価器４１６は、選択された自由度中で受信された信号が信頼可能であるか否かを決定できる。例えば、装置４０２は、（上で説明したように）２つの送信機が信号を送るために同一のサブセットを選択したとして推定する。次に、装置４０２が、リソースブロック中の１つの自由度だけが、エネルギーを有する（例えば、信号エネルギーがエネルギーしきい値を上回る）として推定する場合、装置４０２は、２つの送信機が、信号を送るために同一の自由度を選択したとして結論付けてもよい。結果として、選択された自由度上の受信信号は、信頼可能でないとして考慮される。しかしながら、装置４０２が、リソースブロック中の２つの自由度がエネルギーを有するとして推定する場合、装置４０２は、２つの送信機が信号を送るために異なる自由度を選択したとして結論付けてもよい。結果として、選択された自由度上の受信信号は、信頼可能であるとして考慮される。推定された第２の数は、リソースブロック選択された自由度上で受信された信号が信頼可能であるか、または、信頼可能でないかを推定するためのものである。信頼可能でない場合、デコーダ４１８は、選択された自由度中の受信信号を破棄してもよい。信号が信頼可能である場合、この信号はデコーダ４１８によってデコードされる。
【００５１】
干渉評価器４１６は、推定された第２の数と、推定された干渉送信機の数との関数として、信号の信頼可能性を決定できる。いくつかの観点にしたがうと、推定された第２の数が、推定された干渉送信機の数より大きい場合、選択された自由度中で受信された信号は信頼可能であるとして決定される。
【００５２】
したがって、それぞれの送信デバイス４０６（または、図２のエレメント２０２）は、その意図されている受信機４０２（または、図２のエレメント２０６）に対して知られている識別子に基づいて、その上で送信するためのＭ個に分かれたサブセットのうちからの１つを選び出す。さらに、送信デバイス４０６は、そのサブセット中のＫ個の自由度の間で、その上で送信するための（例えば、サイズＫ／４の）特定のサブセットを選ぶ。図１の例では、Ｋ個の自由度は、それぞれが４つの自由度を持つ、いくつかのリソースブロックへと分割される。送信デバイス４０６は、選択される自由度になることになる、それぞれのリソースブロック中で１つの自由度を選択する。選択された自由度は、サイズＫ／４である。送信デバイス４０６は、このリソースのサブセット上で情報を送信する。
【００５３】
受信デバイス４０２（または、図２のエレメント２０６）は、通信するために使用されたかもしれない送信機の識別子に基づいて、受信デバイスに対して何らかの情報が送信されたか否かを決定することを望む。さらに、受信デバイス４０２は、その情報をデコードすることを望むだろう。受信デバイス４０２は、（サイズＫの）特定のサブセット中の自由度の数をレビューすることと、エネルギーを有する自由度の数を決定することとによって、受信デバイスに対する送信があったか否かを決定する。数が著しい（例えば、３つより多い）ものである場合、受信デバイス４０２は、デコーディングを試みない。図１の例では、１つの送信デバイス４０６がある場合、エネルギーを有する自由度の数は、２８個であることが予測される。サブセット中のエネルギーを有する自由度の数が、ある数（例えば、３６）を超えるとして推定される場合、受信デバイス４０２は、２つの送信デバイスが存在するとして結論付けてもよい。サブセット中のエネルギーを有する自由度の数が、別の数（例えば、４２）を超える場合、受信デバイス４０２は、３つの送信デバイスが存在するとして結論付けてもよい。受信デバイス４０２は、それがその上で受信することになっている（それが受信することを予測している特定のサブセット中の）、選択されたＫ／４の自由度中のエネルギーを評価する。受信デバイス４０２は、送信が受信されたことを宣言する。上記のしきい値は、代わりに、そのリソースを使用している通信対の推定される数に依拠していてもよい。送信があった場合、受信デバイス４０２は送信をデコードする。
【００５４】
いくつかの観点にしたがうと、受信デバイス４０２は、一般的に、それがその上で受信することを予測しているＫ／４の自由度をデコーディングのために使用することになる。しかしながら、受信デバイス４０２はまた、同一のサブセットを使用している１つより多い通信対があるケースでは、干渉を軽減することを望むだろう。この状況において、サイズＫ／４のサブセットが受信デバイス４０２によって、どのようにピックされるのかについての、さらなる構造があってもよい。
【００５５】
上の例を継続して、それぞれの送信デバイス４０６は、その意図されている受信デバイス４０２に対して知られている識別子に基づいて、その上で送信するためのＭ個に分かれたサブセットのうちからの１つを選び出す。それぞれのサブセットは、それぞれサイズ４のさらなるＫ／４サブセットへと分割される。送信デバイス４０６は、その上で送信するための、これらの４つの自由度のうちの１つを選ぶ。したがって、送信デバイス４０６は、その上で送信するためのＫ／４の自由度の総計を選び、このリソースのサブセット上で情報を送信する。
【００５６】
受信デバイス４０２は、送信デバイス４０６が通信するのに使用したかもしれない識別子に基づいて、何らかの情報が受信デバイスに対して送られたか否かを決定することを望み、そして、さらに、その情報をデコードすることを望む。したがって、受信デバイス４０２は、（サイズＫの）特定のサブセット中で、自由度の数をレビューすることにより、受信デバイスに対する送信があるか否かを決定し、エネルギーを有する自由度の数を確認する。これは、そのリソースを使用している通信対の総数の表示として与えられる。受信デバイス４０２は、この数が著しい（例えば、３つより多い通信対がある）場合、デコードしようと試みないだろう。
【００５７】
次に、受信デバイス４０２は、それがその上で受信すると仮定されている（それが受信することを予測している特定のサブセット中の）、Ｋ／４の自由度のエネルギーを見る。受信デバイス４０２は、エネルギーを有する自由度の数が特定のしきい値を上回る（例えば、０．９＊Ｋ／４）ことを確認する。確認された場合、受信デバイス４０２は、送信が受信されたことを宣言する。
【００５８】
しきい値は、代わりに、そのリソースを使用している通信対の推定された数に依拠できる。送信がある場合、受信デバイス４０２は、送信をデコードするだろう。（上で説明したように、）そのリソースを使用しているとして推定される通信対の数に基づいて、受信デバイス４０２は、それぞれのＫ／４の自由度のそれぞれに対して、それが干渉されているか否かについて判定を行う。例えば、同一のリソースを使用している１つ以上の通信対を、推定は示す。次に、サイズ４のより小さいサブセットの間で、２つの自由度がエネルギーを搬送している場合、衝突がない（例えば、それぞれの通信対が異なる自由度を選択している）。しかしながら、４つの自由度のうちの１つだけがエネルギーを有する場合、衝突がある（例えば、両方の通信対が同一の自由度を選択している）。衝突のケースにおいて、受信デバイス４０２は、それ自身の電力レベルに比した、干渉の電力レベルに依拠して、その自由度を破棄することを望むかもしれない。受信デバイス４０２は、したがって、クリーンな自由度を決定し、これらの自由度を利用して情報をデコードする。
【００５９】
装置４０２は、装置４０２に動作可能に結合されたメモリ４２０を備えてもよい。メモリ４２０は、装置４０２に対して外部のものであってもよく、装置４０２内部に駐在してもよい。メモリ４２０は、複数の排他的サブセットの自由度からサブセットを選択することと、選択されたサブセットが送信デバイスから信号を受信するのを監視することに関連する情報を記憶できる。代わりに、または、追加的に、メモリ４２０は、選択されたサブセット中に含まれるリソースブロック中の少なくとも１つの自由度を選択することと、干渉送信機の数を推定することと、受信信号からのメッセージを選択的に受信することとに関連する情報を記憶できる。さらに、メモリ４２０は、通信ネットワーク中で送受信された信号に関連する、他の適切な情報も記憶できる。プロセッサ４２２は、装置４０２（および／または、メモリ４２０）に動作可能に接続されていてもよく、通信ネットワーク中で干渉を軽減することに関連する情報の解析を容易にしてもよい。プロセッサ４２２は、装置４０２により受信される情報の解析、および／または、発生のために専用のプロセッサ、システム４００の１つ以上のコンポーネントを制御するプロセッサ、ならびに／あるいは、装置４０２により受信される情報の解析および発生と、システム４００の１つ以上のコンポーネントの制御との両方を行うプロセッサであってもよい。メモリ４２０は、システム４００が記憶されたプロトコルおよび／またはアルゴリズムを用いて、ここで記述するようなワイヤレスネットワーク中で改善された通信を達成することができるように、干渉を緩和することと、装置４０２と他のデバイスとの間で通信を制御するための動作をとることとに関連するプロトコルを記憶できる。
【００６０】
上に示し、説明した例示的なシステムを鑑みると、開示する主題にしたがって実現されてもよい方法は、以下のフローチャートを参照して、より良く理解されることになる。説明の簡潔さのために、方法は、一連のブロックとして示し、説明するが、特許請求される主題は、ブロックの数や順序によって制限されておらず、ここで示し、記述したものとは異なる順序で発生してもよいブロックや、および／または、ここで示し、記述したもの以外のブロックと実質的に同時に発生してもよいブロックもあることを理解し、認識すべきである。さらに、すべての図示したブロックが、ここで説明する技法を実現するのに要求されるわけではない。ブロックに関連する機能は、ソフトウェア、ハードウェア、これらの組み合わせ、または、他の適切な手段（例えば、デバイス、システム、プロセス、コンポーネント）によって実現されてもよいことを理解すべきである。さらに、以後に、および、本明細書全体にわたって開示する技法は、製品上に記憶されて、さまざまなデバイスに対して、このような技法を転送および送出することを容易にしてもよいことをさらに理解すべきである。当業者は、代わりに、技法が状態ダイアグラムにおけるもののような、一連の相互に関連した状態またはイベントとして表現されてもよいことを理解し、認識することになるだろう。
【００６１】
図５は、ある観点にしたがって、通信ネットワーク中で干渉を緩和するために送信デバイスを動作するための方法５００を図示する。５０２において、サブセットは、複数の排他的サブセットの自由度から選択される。サブセットは識別子の関数として選択されてもよく、これは送信機デバイス、受信機デバイス、または、送信機デバイスと受信機デバイスの両方によって決定されてもよい。自由度は、通信ネットワークの通信リソースユニットに対応する。いくつかの観点にしたがうと、通信リソースは、複数の排他的サブセットの自由度へと分割され、排他的サブセットは固定されている。
【００６２】
５０４において、選択されたサブセットを使用して、受信機デバイスに対して信号が送信される。いくつかの観点にしたがうと、送信されている信号は、ＯＦＤＭ信号であり、自由度はＯＦＤＭシンボル中のトーンである。他の観点にしたがうと、送信されている信号は、ページング信号であり、識別子は受信デバイスのページング識別子である。
【００６３】
図６は、ある観点にしたがった、通信ネットワーク中で信号を送信するときに、干渉を軽減するための方法６００を図示する。方法６００は、６０２において開始し、複数の排他的サブセットの自由度からサブセットが選択される。選択されたサブセットは、複数のリソースブロックを含む。それぞれのリソースブロックは、いくつかの自由度を含む。６０４において、少なくとも１つの複数のリソースブロックのそれぞれにおける少なくとも１つの自由度が選択される。自由度は識別子の関数として選択されてもよい。６０６において、選択された自由度中で信号が送信される。いくつかの観点にしたがうと、信号は、選択された自由度中で、位相および振幅変調スキームのうちの少なくとも１つを使用して送信される。これらの観点において、選択された自由度のうちの少なくとも１つにおいて、パイロットが送信される。
【００６４】
さまざまな観点にしたがうと、リソースブロック内の自由度の数は、固定されており、すべてのリソースブロックに対して同一である。それぞれのリソースブロック内の選択された自由度の数は、リソースブロック内の自由度の数の半分より少なくてもよい。いくつかの観点にしたがうと、リソースブロック内の自由度の数は少なくとも４つであり、それぞれのリソースブロック内で、１つの自由度が選択される。さまざまな観点にしたがうと、選択された自由度は、時間的にオーバーラップしない。
【００６５】
図７は、ある観点にしたがった、通信ネットワーク中で干渉を緩和するための受信機デバイスによって実行される方法７００を図示する。７０２において、複数の排他的サブセットの自由度からのサブセットが選択される。サブセットは、受信機デバイス、送信機デバイス、または、送信機デバイスと受信機デバイスの両方によって決定される識別子の関数として選択されてもよい。自由度は、通信ネットワークの通信リソースユニットに対応する。７０４において、送信機デバイスからの信号を受信するために、選択されたサブセットが監視される。受信信号は、ＯＦＤＭ信号であり、自由度はＯＦＤＭシンボル中のトーンである。いくつかの観点にしたがうと、通信リソースは、複数の排他的サブセットの自由度へと分割され、排他的サブセットは固定されている。
【００６６】
図８は、ある観点にしたがって、通信ネットワークにおいて、信号を受信するときに、干渉を緩和させるための方法８００を図示する。８０２において、複数の排他的サブセットの自由度から、サブセットが選択される。選択されたサブセットは、複数のリソースブロックを含む。それぞれのリソースブロックは、いくつかの自由度を含む。
【００６７】
８０４において、それぞれの複数のリソースブロック内の少なくとも１つの自由度が選択される。選択は識別子の関数であってもよい。干渉送信機の数が、８０６において推定されてもよい。推定は、選択されたサブセットの自由度中で受信された信号のエネルギーの関数であってもよい。干渉送信機は、選択されたサブセット中で干渉信号を送信している。
【００６８】
８０８において、干渉送信機の数が、しきい値を超えたか否かについての決定が行われる。しきい値が超えられた場合（“はい”）、８１０において、受信信号は破棄される。干渉送信機の数がしきい値を超えていないとして決定された場合（“いいえ”）、８１２において、選択された自由度中の受信信号からのメッセージはデコードされる。
【００６９】
図９は、通信ネットワークにおいて、干渉を緩和する受信デバイスを動作させるための方法９００を図示する。９０２において、複数の排他的サブセットのうちからサブセットが選択される。サブセットは、複数のリソースブロックを含むことができ、それぞれのリソースブロックはいくつかの自由度を含む。９０４において、それぞれの複数のリソースブロック内の１つ以上の自由度が選択される。選択は、識別子に基づいて行われてもよい。９０６において、干渉送信機の数が推定される。干渉送信機の数が干渉しきい値を超える場合、選択された自由度中の受信信号からのメッセージがデコードされる。
【００７０】
方法９００は続き、９０８において、選択された自由度の組の間で、受信信号のエネルギーが、第１のエネルギーしきい値を超える、自由度の第１の数が推定される。９１０において、推定された第１の数が、第１のエネルギーしきい値を下回るか否かの決定が行われる。推定された第１の数が、第１のエネルギーしきい値を下回る場合（“はい”）、９１２において、受信信号が破棄される。推定された第１の数が、第１のエネルギーしきい値を上回る場合（“いいえ”）、受信信号はデコードされる。
【００７１】
代わりに、または、追加的に、９１６において、受信信号のエネルギーが、第２のエネルギーしきい値を超える、リソースブロック中の第２の数の自由度が推定される。９１８において、リソースブロック中の選択された自由度中の受信信号が信頼可能であるか否かの決定が行われる。信頼性の決定は、推定された第２の数と、推定された干渉送信機の数との関数として行われてもよい。いくつかの観点にしたがうと、推定された第２の数が、推定された干渉送信機の数より多い場合、リソースブロック中の選択された自由度中で受信された信号は、信頼可能である。決定が、９１８において、受信信号が信頼可能でないということである場合（“いいえ”）、９１２において、受信信号は破棄される。決定が、受信信号が信頼可能であるということである場合（“はい”）、９１４において、受信信号はデコードされる。
【００７２】
いくつかの観点にしたがうと、送られている１つのページだけがある（例えば、推定される干渉送信の数が１つである）場合、エネルギーしきい値は、（２８個のトーンを利用するシステムにおいて）２８トーンのうち２４トーンである。送られている２つのページがある（例えば、推定される干渉送信の数が２つである）場合、しきい値は、２８トーンのうち２６トーンがエネルギーを持つべきこと（エネルギーしきい値は２６）である。３つの干渉送信機があることが推定される場合、すべてのトーン（例えば、２８トーン）がエネルギーを持つべきである。リソースを利用している干渉送信機の数に比して、エネルギーを持つトーンの数（エネルギーしきい値）を増加させることは、フォルスアラームの確率を減らすことができる。
【００７３】
図１０を参照して、ある観点にしたがって、中央スケジューラのない通信ネットワークにおいて、干渉を緩和させるシステム１０００を図示する。システム１０００は、１つの観点にしたがうと送信デバイスであってもよい移動体デバイス内に少なくとも部分的に駐在していてもよい。システム１０００は、機能的ブロックを含むとして表現したが、これは、プロセッサソフトウェア、または、これらの組み合わせ（例えば、ファームウェア）によって実現される機能を表す機能的ブロックであってもよい。
【００７４】
システム１０００は、個別に、または、共に、アクトできる電子的コンポーネントの論理的グルーピング１００２を含む。論理的グルーピング１００２は、識別子の関数として、複数の排他的サブセットの自由度のうちからサブセットを選択する電子的コンポーネント１００４を備えていてもよい。識別子は、送信デバイスおよび／または受信デバイスによって決定されてもよい。自由度は、通信ネットワークの通信リソースユニットに対応する。論理的グルーピング１００２はまた、選択されたサブセットを使用して、受信機デバイスに対して信号を伝送する電子的コンポーネント１００６も具備する。
【００７５】
いくつかの観点にしたがうと、選択されたサブセットは、複数のリソースブロックを含む。それぞれのリソースブロックはいくつかの自由度を含んでもよい。これらの観点にしたがうと、論理的グルーピング１００２はまた、識別子の関数として、それぞれの複数のリソースブロック内で、自由度を選択する電子的コンポーネント１００８を含んでもよい。選択された自由度中で信号が送信される。
【００７６】
いくつかの観点にしたがうと、信号は、選択された自由度中で、位相および振幅変調スキームのうちの少なくとも１つを使用して送信される。伝送する電子的コンポーネント１００６は、選択された自由度のうちの少なくとも１つにおいて、パイロットを送信できる。
【００７７】
さらに、システム１０００は、電子的コンポーネント１００４、１００６、１００８、または、他のコンポーネントに関連する機能を実行する命令を保持するメモリ１０１０も備えていてもよい。メモリ１０１０の外部にあるとして示したが、１つ以上の電子的コンポーネント１００４、１００６、１００８は、メモリ１０１０内に駐在してもよいことが理解されるだろう。
【００７８】
図１１を参照して、ある観点にしたがって、通信ネットワークにおいて、干渉を緩和させるシステム１１００を図示する。システム１１００は、受信デバイスであってもよい、移動体デバイス内に少なくとも部分的に駐在してもよい。システム１１００は、機能的ブロックを含むとして表現したが、これは、プロセッサソフトウェア、または、これらの組み合わせ（例えば、ファームウェア）によって実現される機能を表す機能的ブロックであってもよい。
【００７９】
システム１１００は、個別に、または、共に、アクトできる電子的コンポーネントの論理的グルーピング１１０２を含む。論理的グルーピング１１０２は、複数の排他的サブセットの自由度のうちからサブセットを選択する電子的コンポーネント１１０４を備えていてもよい。選択は、受信デバイス、送信デバイス、または、受信デバイスと送信デバイスの両方によって決定された識別子の関数であってもよい。自由度は、通信ネットワークの通信リソースユニットに対応する。論理的グルーピング１１０２はまた、送信デバイスからの信号を受信するために選択されたサブセットを監視する電子的コンポーネント１１０６を備えていてもよい。
【００８０】
いくつかの観点にしたがうと、選択されたサブセットは、複数のリソースブロックを含む。それぞれのリソースブロックはいくつかの自由度を含む。論理的グルーピング１１０２はまた、識別子の関数として、それぞれの複数のリソースブロック内で、少なくとも１つの自由度を選択する電子的コンポーネント１１０８を備えていてもよい。論理的グルーピング１１０２はまた、選択されたサブセットの自由度中で受信された信号のエネルギーの関数として、干渉送信機の数を推定する電子的コンポーネント１１１０を備えていてもよい。干渉送信機は、選択されたサブセット中で干渉信号を送信する。論理的グルーピング１１０２は、干渉送信機の数が干渉しきい値を超えたか否かを決定する電子的コンポーネント１１１２を備えていてもよい。干渉しきい値が超えられていない場合、デコードする電子的コンポーネント１１１４は、選択された自由度中で受信された信号からのメッセージをデコードする。干渉しきい値が超えられる場合、受信信号は破棄される。
【００８１】
代わりに、または、追加的に、論理的グルーピング１１０２は、エネルギーを含む受信信号中の自由度の数を計算する電子的コンポーネント１１１６と、エネルギー計算の関数として、エネルギーレベルを評価する電子的コンポーネント１１１８とを備えていてもよい。例えば、電子的コンポーネント１１１６は、受信信号のエネルギーが、第１のエネルギーしきい値を超える、選択された自由度の組の間の、自由度の第１の数を計算でき、電子的コンポーネント１１１８は、第１の数が、第１のエネルギーしきい値を下回るか否かを決定できる。この数が、第１のエネルギーしきい値を下回る場合、受信信号は破棄できる。
【００８２】
いくつかの観点にしたがうと、電子的コンポーネント１１１６は、受信信号のエネルギーが、第２のエネルギーしきい値を超える、リソースブロック中の、第２の数の自由度を推定できる。電子的コンポーネント１１２０は、推定された第２の数と、電子的コンポーネント１１１０により推定された干渉者の数との関数として、リソースブロック中の選択された自由度中で受信された信号が信頼可能か否かを決定できる。信号が信頼可能でない場合、選択された自由度中の受信信号は破棄される。電子的コンポーネント１１２０は、推定された第２の数が、推定された干渉送信機の数より大きい場合、信号が信頼可能であるとして決定できる。
【００８３】
さらに、システム１１００は、電子的コンポーネント１１０４、１１０６、１１０８、１１１０、１１１２、１１１４、１１１６、１１１８、および、１１２０に関連する関数を実行するための命令を保持するメモリ１１２２を備えていてもよい。メモリ１１２２の外部にあるとして示したが、１つ以上の電子的コンポーネント１１０４、１１０６、１１０８、１１１０、１１１２、１１１４、１１１６、１１１８、および、１１２０、または、他のコンポーネントは、メモリ１１２２内に駐在してもよいことが理解されるだろう。
【００８４】
図１２は、例示的なワイヤレス端末（例えば、移動体デバイス、送信デバイス、受信デバイス等）１２００を図示し、これは、ここで記述するワイヤレス端末（例えば、移動体デバイス、送信デバイス、受信デバイス等）の任意のものとして使用できる。さまざまな観点にしたがうと、ワイヤレス端末１２００は、通信ネットワーク中で干渉の緩和を実現する。ワイヤレス端末１２００は、デコーダ１２０４を備える受信機１２０２、エンコーダ１２０８を備える送信機１２０６、プロセッサ１２１０、および、メモリ１２１２を具備し、これらは、バス１２１４によって共に結合され、バス上で、さまざまなエレメント１２０２、１２０６、１２１０、１２１２がデータおよび情報を交換できる。送信デバイスからの信号を受信するのに使用されるアンテナ１２１６は、受信機１２０２に結合されている。信号を（例えば、受信デバイスに対して、ピアノードに対して）送信するのに使用されるアンテナ１２１８は、送信機１２０６に結合されている。プロセッサ１２１０（例えば、ＣＰＵ）は、ワイヤレス端末１２００の動作を制御して、ルーチン１２２０を実行し、メモリ１２１２中のデータ／情報１２２２を使用することによって、方法を実現する。
【００８５】
データ／情報１２２２は、ユーザデータ１２２４、ユーザ情報１２２６、および、トーンサブセット割振シーケンス情報１２２８を含む。ユーザデータ１２２４は、ピアノードに対して意図されているデータを含んでもよく、これは、送信機１２０６による送信の前に、エンコーディングのためにエンコーダ１２０８に対してルーティングされることになり、ピアノードから受信されたデータは、受信機１２０２中のデコーダ１２０４によって処理されている。ユーザ情報１２２６は、アップリンクチャネル情報１２３０およびダウンリンクチャネル情報１２３２を含む。アップリンクチャネル情報１２３０は、情報を送信するときに使用するために、ワイヤレス端末１２００に対して割り振られたアップリンクチャネルセグメントを識別する情報を含む。アップリンクチャネルは、アップリンクトラフィックチャネル、専用アップリンク制御チャネル（例えば、要求チャネル、電力制御チャネル、および、タイミング制御チャネル）を含んでもよい。それぞれのアップリンクチャネルは、１つ以上の論理トーンを含み、それぞれの論理トーンは、アップリンクトーンホッピングシーケンスに続く。アップリンクトーンホッピングシーケンスは、セルのそれぞれのセクタタイプの間で、および、隣接セルの間で異なっている。ダウンリンクチャネル情報１２３２は、データ／情報を受信するときに使用するためのワイヤレス端末１２００に対して割り振られたダウンリンクチャネルセグメントを識別する情報を含む。ダウンリンクチャネルは、ダウンリンクトラフィックチャネル、および、割当チャネルを含んでもよく、それぞれのダウンリンクチャネルは、１つ以上の論理トーンを含み、それぞれの論理トーンは、ダウンリンクホッピングシーケンスに続く。ダウンリンクホッピングシーケンスは、セルのそれぞれのセクタタイプの間で同期されている。
【００８６】
ユーザ情報１２２６はまた、割り当てられた識別子である端末ＩＤ情報１２３４、ワイヤレス端末１２００が、共に通信を確立するかもしれない特定の基地局を識別する基地局ＩＤ情報１２３６、ワイヤレス端末１２００が現在位置しているセルの特定のセクタを識別するセクタＩＤ情報１２３８も含む。基地局ＩＤ情報１２３６は、セルスロープ値を提供し、セクタＩＤ情報１２３８は、セクタインデックスタイプを提供し；セルスロープ値とセクタインデックスタイプは、トーンホッピングシーケンスを導出するのに使用されてもよい。モード情報１２４０はまた、ユーザ情報１２２６に含まれてもよく、ワイヤレス端末１２００がスリープモード、保留モード、オンモード等にあるか否かを識別する。
【００８７】
トーンサブセット割振シーケンス情報１２２８は、ダウンリンクストリップシンボル時間情報１２４２と、ダウンリンクトーン情報１２４４を含む。ダウンリンクストリップシンボル時間情報１２４２は、スーパースロット、ビーコンスロット、および、ウルトラスロット構造情報のようなフレーム同期構造情報と、所定のシンボル期間がストリップシンボル期間であるか否かを特定し、そうである場合、ストリップシンボル期間のインデックスと、ストリップシンボルが基地局によって使用されるトーンサブセット割振シーケンスを切り捨てるためのリセットポイントであるか否かを特定する情報とを含む。ダウンリンクトーン情報１２４４は、基地局に割り振られた搬送周波数を含む情報、トーン、および、ストリップシンボル期間に割り振られることになる１組のトーンサブセットの数と周波数、ならびに、スロープ、スロープインデックス、および、セクタタイプのような、その他のセルとセクタ特有の値を含む。
【００８８】
ルーチン１２２０は、通信ルーチン１２４６と、ワイヤレス端末制御ルーチン１２４８とを含む。通信ルーチン１２４６は、ワイヤレス端末１２００によって使用されるさまざまな通信プロトコルを制御する。例えば、通信ルーチン１２４６は、ワイドエリアネットワーク、および／または、ローカルエリアピアツーピアネットワーク（例えば、個別のワイヤレス端末と直接的に）を通して、通信をイネーブルできる。さらなる例として、通信ルーチン１２４６は、ブロードキャスト信号の受信をイネーブルできる。ワイヤレス端末制御ルーチン１２４８は、受信機１２０２と送信機１２０６の制御を含む、基本的なワイヤレス端末１２００の機能を制御する。
【００８９】
ルーチン１２２０はまた、干渉緩和ルーチン１２５０も含んでもよい。情報を送信するとき、干渉緩和ルーチン１２５０は、複数の自由度の、複数に分かれたサブセットのうちから、サブセットを選択することと、選択されたサブセットを使用して、信号を送信することとを含んでもよい。情報を受信するとき、干渉緩和ルーチン１２５０は、複数の自由度の、複数に分かれたサブセットのうちから、サブセットを選択することと、信号を受信するために選択されたサブセットを監視することとを含んでもよい。さらに、情報を受信するための干渉緩和ルーチン１２５０は、干渉送信機（または、同時発生する通信対）の数を推定することと、干渉者の数が少ないことを決定することと、所望の信号が予測される選択された組の自由度内で、エネルギーを有する自由度の第１の数を推定することと、所望の信号を伝送している十分な数の自由度があることを確認することとを含んでもよい。いくつかの観点にしたがうと、受信干渉緩和ルーチン１２５０は、それぞれのリソースブロック中で、エネルギーを有する自由度の第２の数を推定して、そのリソースブロック中で衝突が発生するか否かを決定することと、所望の信号が衝突していないことを決定することと、そのリソースブロック中の所望の信号がクリーンであり、デコーディングのために使用できることを宣言することとを含む。
【００９０】
ここで、図１３を参照して、さまざまな観点にしたがったワイヤレス通信システム１３００を図示する。システム１３００は、複数のアンテナグループを含んでもよい基地局１３０２を含む。例えば、１つのアンテナグループは、アンテナ１３０４および１３０６を含んでもよく、別のグループは、アンテナ１３０８および１３１０を含んでもよく、追加的なグループは、アンテナ１３１２および１３１４を含んでもよい。それぞれのアンテナグループに対して、１つのアンテナを図示したが、より多くの、または、より少ないアンテナがそれぞれのグループに対して利用されることができる。基地局１３０２は、追加的に、送信機チェーンと受信機チェーンとを含むことができ、当業者によって理解されることになるように、代わりに、これらのそれぞれが、信号の送受信に関連する複数のコンポーネント（例えば、プロセッサ、変調器、マルチプレクサ、吹く長期、デマルチプレクサ、アンテナ、等）を含んでもよい。追加的に、基地局１３０２は、ホーム基地局、フェムト基地局、および／または、これらに類するものであってもよい。
【００９１】
基地局１３０２は、デバイス１３１６のような１つ以上のデバイスと通信できる。しかしながら、基地局１３０２は、デバイス１３１６に類似した実質的に任意の数のデバイスと通信できることが理解されるだろう。図示したように、デバイス１３１６は、アンテナ１３０４および１３０６と通信しており、ここで、アンテナ１３０４および１３０６は、フォワードリンク１３１８を通してデバイス１３１６に対して信号を送信しており、リバースリンク１３２０を通してデバイス１３１６からの情報を受信している。周波数分割二重（ＦＤＤ）システムにおいて、フォワードリンク１３１８は、例えば、リバースリンク１３２０により使用されるものとは異なる周波数帯域を利用できる。さらに、時間分割二重（ＴＤＤ）システムにおいて、フォワードリンク１３１８およびリバースリンク１３２０は、共通の周波数帯域を利用できる。
【００９２】
さらに、デバイス１３２２および１３２４は、ピアツーピア構成でのように、互いに通信できる。さらに、デバイス１３２２は、リンク１３２６および１３２８を使用して、デバイス１３２４と通信している。ピアツーピアアドホックネットワークにおいて、デバイスは、デバイス１３２２および１３２４のように、互いの範囲内にあり、彼らの通信を中継するための、基地局１３０２および／またはワイヤレスヤードインフラストラクチャなしで、互いに直接通信している。さらに、ピアデバイスまたはノードはトラフィックを中継できる。ピアツーピアの方法で、通信しているネットワーク内のデバイスは、基地局に類似して機能することができ、他のデバイスに対してトラフィックまたは通信を中継でき、その最終的な宛先にトラフィックが到着するまで、基地局に類似して機能する。デバイスはまた、制御チャネルを送信してもよく、これは、ピアノードの間でデータ送信を管理するために利用されてもよい情報を搬送する。
【００９３】
通信ネットワークは、ワイヤレス（または、ワイヤード）通信している、任意の数のデバイスまたはノードを含んでもよい。それぞれのノードは、他の１つ以上のノードの範囲内にあってもよく、他のノードと通信でき、または、マルチホップトポグラフィーにおいてのように、他のノードの利用を通して通信できる（例えば、通信は、最終宛先に到着するまでノードからノードへとホップできる）。例えば、送信者ノードは、受信者ノードと通信することを望んでもよい。送信者ノードと受信者ノードとの間でパケット転送をイネーブルするために、１つ以上の中間ノードが利用できる。任意のノードが、送信者ノードおよび／または受信者ノードになってもよく、実質的に同時に（例えば、情報を受信するのと同時において、情報をブロードキャストまたは通信できる）、あるいは、異なる時間において、情報を送信および／または受信することの両方の機能を実行できることを理解すべきである。
【００９４】
図１４は、さまざまな観点にしたがった例示的なワイヤレス通信システム１４００を図示する。ワイヤレス通信システム１４００は、簡潔さの目的で、１つの基地局と、１つの端末とを図示した。しかしながら、システム１１４００は、１つより多い基地局またはアクセスポイント、ならびに／あるいは、１つより多い端末またはユーザデバイスを含んでもよく、ここで追加の基地局および／または端末は、以下に記述する例示的な基地局および端末に実質的に類似していてもよく、あるいは、以下に記述する例示的な基地局および端末とは異なっていてもよいことを認識すべきである。さらに、基地局および／または端末は、ここで記述するシステムおよび／または方法を用いて、それらの間のワイヤレス通信を容易にしてもよいことを認識すべきである。
【００９５】
ここで、図１４を参照して、ダウンリンク上で、アクセスポイント１４０５において、送信（Ｔｘ）データプロセッサ１４１０は、トラフィックデータを受信し、フォーマットし、コードし、インターリーブし、および変調（または、シンボルマップ）して、変調シンボル（“データシンボル”）を提供する。シンボル変調器１４１５は、データシンボルおよびパイロットシンボルを受信して処理し、シンボルのストリームを提供する。シンボル変調器１４１５は、データシンボルおよびパイロットシンボルを多重化し、１組のＮ個の送信シンボルを取得する。それぞれの送信シンボルは、データシンボル、パイロットシンボル、または、ゼロ値の信号であってもよい。パイロットシンボルは、それぞれのシンボル期間中に連続的に送られてもよい。パイロットシンボルは、周波数分割多重化（ＦＤＭ）、直交周波数分割多重化（ＯＦＤＭ）、時分割多重化（ＴＤＭ）、または、コード分割多重化（ＣＤＭ）されたものであってもよい。
【００９６】
送信機ユニット（ＴＭＴＲ）１４２０は、シンボルのストリームを受け取り、１つ以上のアナログ信号へと変換し、アナログ信号をさらに調整（例えば、増幅、フィルタ、周波数アップコンバート）して、ワイヤレスチャネルを通して送信するために適切なダウンリンク信号を発生させる。ダウンリンク信号は、アンテナ１４２５を通して、端末に対して送信される。端末１４３０において、アンテナ１４３５は、ダウンリンク信号を受信し、受信信号を受信機ユニット（ＲＣＶＲ）１４４０に提供する。受信機ユニット１４４０は、受信信号を調整（例えば、フィルタ、増幅、周波数ダウンコンバート）し、調整された信号をデジタル化して、サンプルを取得する。シンボル復調器１４４５は、Ｎ個の受信シンボルを取得し、チャネル推定のために、プロセッサ１４５０に対して、受信パイロットシンボルを提供する。シンボル復調器１４４５は、プロセッサ１４５０からのダウンリンクに対する周波数応答推定をさらに受信し、受信データシンボルにデータ復調を実行して、（送信されたデータシンボルの推定である）データシンボル推定を取得し、データシンボル推定をＲＸデータプロセッサに提供し、これは、データシンボル推定を復調（シンボルデマップ）し、デインターリーブし、デコードして、送信されたトラフィックデータを回復してもよい。シンボル復調器１４４５およびＲＸデータプロセッサ１４５５による処理は、アクセスポイント１４０５における、シンボル変調器１４１５およびＴＸ データプロセッサ１４１０それぞれによる処理に相補的なものである。
【００９７】
アップリンク上で、ＴＸ データプロセッサ１４６０は、トラフィックデータを処理して、データシンボルを提供する。シンボル変調器１４６５は、データシンボルをパイロットシンボルとともに受信して、マルチプレクスし、変調を実行し、シンボルのストリームを提供する。送信機ユニット１４７０は、シンボルのストリームを受信、処理して、アップリンク信号を発生させ、これは、アンテナ１４３５によって、アクセスポイント１４０５に対して送信される。
【００９８】
アクセスポイント１４０５において、端末１４３０からのアップリンク信号がアンテナ１４２５によって受信され、受信機ユニット１４７５によって処理されてサンプルを取得する。シンボル復調器１４８０は、次に、サンプルを処理し、アップリンクに対する受信パイロットシンボルとデータシンボル推定を提供する。ＲＸデータプロセッサ１４８５は、データシンボル推定を処理して、端末１４３０によって送信されたトラフィックデータを回復させる。プロセッサ１４９０は、アップリンク上で送信しているアクティブ端末のそれぞれに対して、チャネル推定を実行する。
【００９９】
プロセッサ１４９０および１４５０は、アクセスポイント１４０５および端末１４３０のそれぞれにおいて、動作を指示（例えば、制御、調整、管理、等）できる。それぞれのプロセッサ１４９０および１４５０は、プログラムコードとデータを記憶する、（示していない）メモリユニットに関係していてもよい。プロセッサ１４９０および１４５０はまた、計算を実行して、アップリンクおよびダウンリンクそれぞれに対する、周波数およびインパルス応答推定を導出してもよい。
【０１００】
多元接続システム（例えば、ＦＤＭＡ、ＯＦＤＭＡ、ＣＤＭＡ、ＴＤＭＡ、等）に対して、複数の端末は、アップリンク上で同時に送信できる。このようなシステムに対して、パイロットサブバンドは、異なる端末の間で共有されてもよい。チャネル推定技術は、各端末に対するパイロットサブ帯域が、（おそらくは、帯域エッジを除外して、）全体の動作帯域にわたるケースにおいて使用されてもよい。それぞれの端末に対する周波数ダイバーシティを取得するために、このようなパイロットサブ帯域構造が望ましいだろう。ここで記述した技術は、さまざまな手段によって実現されてもよい。例えば、これらの技術は、ハードウェア、ソフトウェア、または、これらの組み合わせにおいて実現してもよい。ハードウェア実現に対しては、チャネル推定のために使用される処理ユニットを、１つ以上の特定用途向け集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、制御装置、マイクロ制御装置、マイクロプロセッサ、ここで記述した機能を実行するように設計されている、他の電子的ユニット、または、これらの組み合わせ内で実現されてもよい。ソフトウェアでは、ここで説明した機能を実行するモジュール（例えば、手続、関数等）を通して実現してもよい。ソフトウェアコードは、メモリユニット中に記憶されてもよく、プロセッサ１４９０および１４５０によって実行されてもよい。
【０１０１】
説明した機能を、ハードウェア、ソフトウェア、ファームウェア、または、これらの組み合わせによって実現してもよいことを理解すべきである。ソフトウェアにおいて実現される場合、関数を、コンピュータ読取可能媒体中の１つ以上の命令またはコードとして記憶または送信させてもよい。コンピュータ読取可能媒体は、コンピュータ記憶媒体と、ある場所から別の場所へとコンピュータプログラムの転送を容易にする任意の媒体を含む通信媒体との両方を含む。記憶媒体は、汎用または専用のコンピュータによってアクセスされることができる任意の利用可能な媒体を指す。例として、これらに制限される訳ではないが、このようなコンピュータ読取可能媒体は、ＲＡＭ、ＲＯＭ、ＥＥＰＲＯＭ、ＣＤ−ＲＯＭ、および他の光学ディスクストレージ、磁気ディスクストレージまたは磁気ストレージ装置、あるいは、所望のプログラムコードを命令またはデータ構造の形態で搬送または記憶するのに使用されることができ、かつ、汎用または専用のコンピュータによってアクセスされることができる、他の任意の媒体を含むことができる。また、接続は、コンピュータ読取可能媒体として適切に呼ばれてもよい。例えば、ソフトウェアがウェブサイト、サーバ、または、他のリモード源から、同軸ケーブル、ファイバー光学ケーブル、燃料対、デジタル加入ライン（ＤＳＬ）、または、赤外線、無線、および、マイクロウェーブのようなワイヤレス技術を使用して、送信される場合、同軸ケーブル、ファイバー光学ケーブル、燃料対、デジタル加入ライン（ＤＳＬ）、または、赤外線、無線、および、マイクロウェーブのようなワイヤレス技術は、媒体の定義中に含められる。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイディスクを含み、ここで、ディスク（ｄｉｓｋ）は、通常は、磁気的にデータを再生し、ディスク（ｄｉｓｃ）は、レーザーで光学的にデータを再生する。上記のものの組み合わせがまた、コンピュータ読取可能媒体に含まれるべきである。
【０１０２】
ここで開示している観点に関して説明した、さまざまな例示的論理ブロック、モジュール、および、回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）、または、他のプログラム可能な論理デバイス、ディスクリートゲートまたはトランジスタ論理、ディスクリートハードウェア部品、または、ここで開示した機能を実行するように設計された、これらの任意の組み合わせで、実現または実施されてもよい。汎用プロセッサは、マイクロプロセッサであってもよいが、代わりに任意の従来のプロセッサ、制御装置、マイクロ制御装置、または状態機械であってもよい。プロセッサはまた、例えば、ＤＳＰおよびマイクロプロセッサ、複数のマイクロプロセッサ、ＤＳＰコアに関連した１以上のマイクロプロセッサ、または他の任意の前述の構成のような、計算デバイスの組み合わせとして実現されてもよい。追加的に、少なくとも１つのプロセッサは、上に記述した１つ以上のステップおよび／またはアクションを実行するように動作可能な１つ以上のモジュールを備えていてもよい。
【０１０３】
ソフトウェア実現に対しては、ここで説明した技術を、ここで説明した機能を実行するモジュール（例えば、手続、関数等）で実現してもよい。ソフトウェアコードは、メモリユニット中に記憶されてもよく、プロセッサによって実行されてもよい。メモリユニットは、プロセッサ内で実現されてもよく、または、プロセッサ外部で実現されてもよい。外部のケースでは、メモリユニットは、技術的に知られているさまざまな手段を通してプロセッサに通信可能に結合されることができる。さらに、少なくとも１つのプロセッサは、ここで記述した機能を実行するように動作可能な１つ以上のモジュールを含んでもよい。
【０１０４】
ここで記述した技術を、ＣＤＭＡ、ＴＤＭＡ、ＦＤＭＡ、ＯＦＤＭＡ、ＳＣ−ＦＤＭＡ、および、他のシステムのようなさまざまなワイヤレス通信システムに対して使用してもよい。用語“システム”および“ネットワーク”は、相互交換可能に使用することが多い。ＣＤＭＡシステムは、ユニバーサル地上無線アクセス（ＵＴＲＡ）、ｃｄｍａ２０００等のような無線技術を実現してもよい。ＵＴＲＡは、広帯域−ＣＤＭＡ（Ｗ−ＣＤＭＡ）、および、ＣＤＭＡの他の変種を含んでもよい。さらに、ｃｄｍａ２０００は、ＩＳ−２０００、ＩＳ−９５、および、ＩＳ−８５６標準規格をカバーする。ＴＤＭＡシステムは、移動体通信のためのグローバルシステム（ＧＳＭ（登録商標））のような無線技術を実現してもよい。ＯＦＤＭＡシステムは、進化ＵＴＲＡ（Ｅ−ＵＴＲＡ）、ウルトラ移動体ブロードバンド（ＵＭＢ）、ＩＥＥＥ８０２．１１（ＷｉＦｉ（登録商標））、ＩＥＥＥ８０２．１６（ＷｉＭＡＸ（登録商標））、ＩＥＥＥ８２０．２０、フラッシュＯＦＤＭ等のような無線技術を実現してもよい。ＵＴＲＡと、Ｅ−ＵＴＲＡは、ユニバーサル移動体電気通信システム（ＵＭＴＳ）の一部である。３ＧＰＰ長期進化（ＬＴＥ）は、Ｅ−ＵＴＲＡを使用するＵＭＴＳのリリースであり、これは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥ、および、ＧＳＭは、“第３世代パートナーシッププロジェクト”（３ＧＰＰ）と称される組織からの文書に記述されている。さらに、ｃｄｍａ２０００、および、ＵＭＢは、“第３世代パートナーシッププロジェクト２”（３ＧＰＰ２）と称される組織からの文書に記述されている。さらに、このようなワイヤレス通信システムは、対になっていない無許可のスペクトル、８０２．ｘｘワイヤレスＬＡＮ、ブルートゥース（登録商標）、および、他の何らかの短距離または長距離ワイヤレス通信技術を使用することの多い、ピアツーピア（例えば、モバイル対モバイル）アドホックネットワークシステムを追加的に含んでもよい。
【０１０５】
単一搬送波変調および周波数ドメイン等化を利用する、単一搬送波周波数分割多元接続（ＳＣ−ＦＤＭＡ）は、開示した観点と共に利用されてもよい技術である。ＳＣ−ＦＤＭＡは、ＯＦＤＭＡシステムに類似した性能と、ＯＦＤＭＡシステムのそれに類似した、本質的な全体の複雑さを有している。ＳＣ−ＦＤＭＡ信号は、その本質的な単一搬送波構造のために、より低いピーク対平均電力比（ＰＡＰＲ）を有する。ＳＣ−ＦＤＭＡは、送信電力効率に関して、より低いＰＡＰＲが移動体端末を利することができる、アップリンク通信において利用できる。
【０１０６】
さらに、ここで説明するさまざまな観点または特徴は、標準のプログラミング、および／または、エンジニアリング技術を使用して、方法、装置、または製品として実現されてもよい。ここで使用する、用語“製品”は、任意のコンピュータ読取可能デバイスや、キャリアや、または、媒体からアクセス可能なコンピュータプログラムを包含することを意図している。例えば、コンピュータ読取可能媒体は、これらに制限されないが、磁気記憶デバイス（例えば、ハードディスク、フロッピーディスク、磁気ストライプ等）と、光学ディスク（例えば、コンパクトディスク（ＣＤ）、デジタル汎用ディスク（ＤＶＤ）等）と、スマートカードと、フラッシュメモリデバイス（例えば、ＥＰＲＯＭ、カード、スティック、キードライブ等）とを含んでもよい。さらに、ここで記述するさまざまな記憶媒体は、情報を記憶するための１つ以上のデバイス、および／または、他の機械読取可能媒体を表すことができる。用語“機械読取可能媒体”は、これに制限されないが、命令および／またはデータを記憶し、包含し、および／または、伝送できる、ワイヤレスチャネルおよび他のさまざまな媒体を含んでもよい。追加的に、コンピュータプログラム製品は、コンピュータに、ここで記述する機能を実行させるように動作する１つ以上の命令またはコードを有しているコンピュータ読取可能媒体を含んでいてもよい。
【０１０７】
さらに、ここで開示した観点に関して説明した方法またはアルゴリズムのステップは、ハードウェア中で直接、プロセッサにより実行されるソフトウェアモジュール中、または、２つの組み合わせ中に、実現されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当業者に知られている、他の任意の形式の記憶メディア中に存在してもよい。例示的な記憶媒体はプロセッサに結合され、そのようなプロセッサは記憶媒体から情報を読み出し、記憶媒体に情報を書き込む。代わりに、記憶媒体はプロセッサに統合されていてもよい。さらに、いくつかの観点では、プロセッサおよび記憶媒体はＡＳＩＣ中に存在していてもよい。さらに、ＡＳＩＣはユーザ端末中に存在していてもよい。代わりに、プロセッサおよび記憶媒体はユーザ端末中にディスクリート部品として存在していてもよい。さらに、いくつかの観点では、方法またはアルゴリズムのステップおよび／またはアクションは、コンピュータプログラム製品中に組み込むことができる、機械読取可能媒体および／またはコンピュータ読取可能媒体上のコードおよび／または命令の１つ、または、任意の組み合わせ、あるいは、１組のコードとして存在してもよい。
【０１０８】
これまでの開示は、例示的な観点および／または実施形態を記述したが、ここで、さまざまな変更および修正が、添付の特許請求の範囲により規定される記述した観点および／または実施形態の範囲から逸脱することなく、行われてもよいことに留意すべきである。したがって、説明した観点は、特許請求の範囲内に納まるすべてのこのような変更、修正、および、変種を含むことが意図されている。さらに、記述した観点および／または実施形態を、単数形で記述または特許請求したかもしれないが、単数への限定が明示的に述べられていない限り、複数が意図されている。さらに、そうではないとして述べられない限り、観点および／または実施形態のすべて、あるいは、一部を、他の任意の観点および／または実施形態のすべて、あるいは、一部とともに利用してもよい。
【０１０９】
用語“含む（includes）”が、詳細な説明または特許請求の範囲のいずれかにおいて、使用される範囲では、このような用語は、“備える（comprising）”が特許請求の範囲中の過渡的な用語として用いられるときに解釈されるような用語“備える（comprising）”と同様な方法で包括的であることを意図している。さらに、詳細な説明または特許請求の範囲のいずれかにおいて使用される、用語“または（or）”は、排他的な“または”ではなく、包括的な“または”を意味することを意図している。すなわち、そうではないと指定されない限り、または、文脈から明らかでない限り、フレーズ“ＸがＡまたはＢを用いる”は、自然な包括的順列の何らかの物を意味することを意図している。すなわち、フレーズ“ＸがＡまたはＢを用いる”は、以下の例のいずれかのものによって満足される：ＸがＡを用いる；ＸがＢを用いる；ＸがＡおよびＢを用いる。追加的に、詳細な説明または特許請求の範囲のいずれかにおいて使用される、冠詞“a”および“an”は、そうではないと指定されない限り、または、文脈から単数形が意図されることが明らかでない限り、一般的に、“１つ以上の”を意味するとして解釈すべきである。
以下に、本願出願の当初の特許請求の範囲に記載された発明を付記する。
[C1]
受信機デバイスによって実行される、通信ネットワークにおける干渉を緩和するための方法において、
識別子の関数として、自由度の複数の排他的なサブセットのうちから、サブセットを選択することと、送信機デバイスから信号を受信するために、前記選択されたサブセットを監視することとを含み、
前記識別子は、送信機デバイスまたは受信機デバイスのうちの少なくとも１つによって決定され、
自由度は、前記通信ネットワークの通信リソースユニットに対応する方法。
[C2]
前記通信リソースは、前記自由度の複数の排他的なサブセットへと分割され、前記複数の排他的なサブセットは固定されている、請求項１記載の方法。
[C3]
前記選択されたサブセットは、複数のリソースブロックを含み、それぞれのリソースブロックは、いくつかの自由度を含み、
前記方法は、
前記複数のリソースブロックのそれぞれの内で、少なくとも１つの自由度を選択することと、
それぞれの選択されたサブセットの自由度中で、前記受信信号のエネルギーの関数として、干渉送信機の数を推定することと、
前記干渉送信機の数が、干渉しきい値を超える場合、前記受信信号を破棄することと
をさらに含み、
前記自由度は、前記識別子の関数として選択され、
前記干渉送信機は、前記選択されたサブセット中で干渉信号を送信している、請求項１記載の方法。
[C4]
前記干渉送信機の数が、前記干渉しきい値を超えない場合、前記選択された自由度中の受信信号からのメッセージをデコードすることをさらに含む、請求項３記載の方法。
[C5]
前記受信信号のエネルギーが第１のエネルギーしきい値を超える、前記選択されたサブセットの自由度の数を推定することをさらに含み、前記干渉送信機の数は、前記推定された数の関数として決定される、請求項３記載の方法。
[C6]
リソースブロック内の自由度の数は固定されており、すべてのリソースブロックに対して同一であり、それぞれのリソースブロック内の選択された自由度の数は、前記リソースブロック内の自由度の数の半分より少ない、請求項５記載の方法。
[C7]
前記リソースブロック内の自由度の数は少なくとも４つであり、それぞれのリソースブロック内で、１つの自由度が選択される、請求項６記載の方法。
[C8]
１組の選択された自由度のうちで、前記受信信号のエネルギーが前記第１のエネルギーしきい値を超える自由度の第１の数を推定することと、
前記推定された第１の数が、前記第１のエネルギーしきい値を下回る場合、前記受信信号を破棄することと
をさらに含む、請求項５記載の方法。
[C9]
前記受信信号のエネルギーが第２のエネルギーしきい値を超える、リソースブロック中の自由度の第２の数を推定することと、
前記推定された第２の数と、前記推定された干渉送信機の数との関数として、前記リソースブロック中の選択された自由度中で受信された信号が、信頼可能であるか否かを決定することと、
前記信号が信頼可能でない場合、デコーディングにおいて、前記選択された自由度中の受信信号を破棄することと
をさらに含む、請求項５記載の方法。
[C10]
前記推定された第２の数が、前記推定された干渉送信機の数より多い場合、前記リソースブロック中の選択された自由度中で受信された信号は、信頼可能である、請求項９記載の方法。
[C11]
前記受信信号はＯＦＤＭ信号であり、自由度はＯＦＤＭ信号中のトーンである、請求項１記載の方法。
[C12]
ワイヤレス通信装置において、
識別子の関数として、自由度の複数の排他的なサブセットのうちから、サブセットを選択することと、
信号を受信するために、前記選択されたサブセットを監視することと
に関連する命令を保持するメモリと、
前記メモリに結合されており、前記メモリ中に保持されている命令を実行するように構成されているプロセッサと
を具備し、
自由度は、通信ネットワークの通信リソースユニットに対応し、
前記識別子は、送信機デバイス、受信機デバイス、または、これらの組み合わせのうちの少なくとも１つによって決定される、ワイヤレス通信装置。
[C13]
前記通信リソースは、前記自由度の複数の排他的なサブセットへと分割され、前記複数の排他的なサブセットは固定されている、請求項１２記載のワイヤレス通信装置。
[C14]
前記選択されたサブセットは、複数のリソースブロックを含み、それぞれのリソースブロックは、複数の自由度を含み、
前記メモリは、
前記識別子に基づいて、前記複数のリソースブロックのそれぞれにおいて、少なくとも１つの自由度を選択することと、
それぞれの選択されたサブセット中の自由度中で、前記受信信号のエネルギーに基づいて、干渉送信機の数を推定することと、
前記干渉送信機の数が、干渉しきい値を超える場合、前記受信信号を破棄すること、または、前記干渉送信機の数が、前記干渉しきい値を超えない場合、前記選択された自由度中の受信信号からのメッセージをデコードすることと
に関連するさらなる命令を保持する、請求項１２記載のワイヤレス通信装置。
[C15]
前記メモリは、
前記受信信号のエネルギーが第１のエネルギーしきい値を超える、前記選択されたサブセットの自由度の数を推定することに関連するさらなる命令を保持し、
前記干渉送信機の数は、前記推定された数の関数として決定される、請求項１４記載のワイヤレス通信装置。
[C16]
リソースブロック内の自由度の数は固定されており、すべてのリソースブロックに対して同一であり、それぞれのリソースブロック内の選択された自由度の数は、前記リソースブロック内の自由度の数の半分より少ない、請求項１５記載のワイヤレス通信装置。
[C17]
前記メモリは、
１組の選択された自由度のうちで、前記受信信号のエネルギーが前記第１のエネルギーしきい値を超える自由度の第１の数を推定することと、
前記推定された第１の数が、前記第１のエネルギーしきい値を下回る場合、前記受信信号を破棄することと
に関連する命令をさらに保持する、請求項１５記載のワイヤレス通信装置。
[C18]
前記メモリは、
前記受信信号のエネルギーが第２のエネルギーしきい値を超える、リソースブロック中の自由度の第２の数を推定することと、
前記リソースブロック中の選択された自由度中で受信された信号が、信頼可能であるか否かを決定することと、
前記信号が信頼可能でない場合、デコーディングにおいて、前記選択された自由度中の受信信号を破棄することと
に関連する命令をさらに保持する、請求項１５記載のワイヤレス通信装置。
[C19]
前記推定された第２の数が、前記推定された干渉送信機の数より多い場合、前記リソースブロック中の選択された自由度中で受信された信号は、信頼可能である、請求項１５記載のワイヤレス通信装置。
[C20]
前記信頼性の決定は、前記推定された第２の数と、前記推定された干渉送信機の数との関数であり、前記推定された第２の数が、前記推定された干渉送信機の数より大きい場合、前記信号は信頼可能である、請求項１４記載のワイヤレス通信装置。
[C21]
通信ネットワークにおける干渉を緩和するワイヤレス通信装置において、
選択された識別子の関数として、自由度の複数の排他的なサブセットのうちから、サブセットを選択する手段と、ピアノードから信号を受信するために、前記選択されたサブセットをレビューする手段と、を具備し、
自由度は、前記通信ネットワークの通信リソースユニットに対応し、
前記通信リソースは、前記自由度の複数の排他的なサブセットへと分けられる、ワイヤレス通信装置。
[C22]
前記選択されたサブセットは、複数のリソースブロックを含み、それぞれのリソースブロックは、複数の自由度を含み、
前記通信装置は、
前記識別子の関数として、前記複数のリソースブロックのそれぞれの内で、少なくとも１つの自由度を選択する手段と、
それぞれ選択されたサブセット中の自由度中の受信信号のエネルギーに基づいて、干渉送信の数を計算する手段と、
干渉送信機の数に基づいて、前記受信信号からのメッセージを選択的にデコードする手段と
をさらに具備する、請求項２１記載のワイヤレス通信装置。
[C23]
前記干渉送信機の数が、前記干渉しきい値を超えない場合、前記メッセージがデコードされ、または、前記干渉送信機の数が、前記干渉しきい値を超える場合、前記受信信号は破棄される、請求項２２記載のワイヤレス通信装置。
[C24]
１組の選択された自由度のうちで、前記受信信号のエネルギーが前記第１のエネルギーしきい値を超える自由度の第１の数を推定する手段と、
前記推定された第１の数が、前記第１のエネルギーしきい値を下回る場合、前記受信信号を破棄する手段と
をさらに具備する、請求項２２記載のワイヤレス通信装置。
[C25]
前記受信信号のエネルギーが第２のエネルギーしきい値を超える、リソースブロック中の自由度の第２の数を推定する手段と、
前記推定された第２の数と、前記推定された干渉送信機の数との関数として、前記リソースブロック中の選択された自由度中で受信された信号が、信頼可能であるか否かを決定する手段と、
前記信号が信頼可能でない場合、デコーディングにおいて、前記選択された自由度中の受信信号を破棄する手段と
をさらに具備する、請求項２２記載のワイヤレス通信装置。
[C26]
コンピュータ実行可能命令を有するコンピュータ読取可能記録媒体において、
前記コンピュータ実行可能命令は、コンピュータに、識別子の関数として、自由度の複数の排他的なサブセットのうちから、サブセットを選択させるための第１の組のコードと、前記コンピュータに、信号を受信させるために、前記選択されたサブセットを評価させるための第２の組のコードとを含み、
前記識別子は、送信機デバイス、受信機デバイス、または、送信機デバイスと受信機デバイスの両方のうちの少なくとも１つによって決定され、
自由度は、前記通信ネットワークの通信リソースユニットに対応する、コンピュータ読取可能記録媒体。
[C27]
前記選択されたサブセットは、複数のリソースブロックを含み、それぞれのリソースブロックは、いくつかの自由度を含み、
前記コンピュータ実行可能命令は、
前記コンピュータに、前記複数のリソースブロックのそれぞれの内で、少なくとも１つの自由度を選択させるための第３の組のコードと、
前記コンピュータに、それぞれの選択されたサブセットの自由度中で、前記受信信号のエネルギーの関数として、干渉送信機の数を推定させるための第４の組のコードと、
前記コンピュータに、前記干渉送信機の数が、干渉しきい値を超える場合、前記受信信号を破棄させるための第５の組のコードと
をさらに含み、
前記自由度は、前記識別子の関数として選択され、
前記干渉送信機は、前記選択されたサブセット中で干渉信号を送信している、請求項２６記載のコンピュータ読取可能記録媒体。
[C28]
前記コンピュータ実行可能命令は、
前記コンピュータに、１組の選択された自由度のうちで、前記受信信号のエネルギーが前記第１のエネルギーしきい値を超える自由度の第１の数を推定させるための第６の組のコードと、
前記コンピュータに、前記推定された第１の数が、前記第１のエネルギーしきい値を下回る場合、前記受信信号を破棄させるための第７の組のコードと
をさらに含む、請求項２７記載のコンピュータ読取可能記録媒体。
[C29]
前記コンピュータ実行可能命令は、
前記コンピュータに、前記受信信号のエネルギーが第２のエネルギーしきい値を超える、リソースブロック中の自由度の第２の数を推定させるための第６の組のコードと、
前記コンピュータに、前記推定された第２の数と、前記推定された干渉送信機の数との関数として、前記リソースブロック中の選択された自由度中で受信された信号が、信頼可能であるか否かを決定させるための第７の組のコードと、
前記コンピュータに、前記信号が信頼可能でない場合、デコーディングにおいて、前記選択された自由度中の受信信号を破棄させるための第８の組のコードと
をさらに含む、請求項２７記載のコンピュータ読取可能記録媒体。
[C30]
中央スケジューラを持たない通信ネットワークにおける干渉を緩和するように構成されている少なくとも１つのプロセッサにおいて、
識別子の関数として、自由度の複数の排他的なサブセットのうちから、サブセットを選択する第１のモジュールと、
複数のリソースブロックのそれぞれの内で、少なくとも１つの自由度を選択する第２のモジュールと、
信号を受信するために、前記選択されたサブセットを監視する第３のモジュールと、
それぞれの選択されたサブセットの自由度中で受信された信号のエネルギーの関数として、干渉送信機の数を推定する第４のモジュールと、
前記推定された干渉送信機の数と、干渉しきい値との比較に基づいて、前記選択された自由度中の受信信号からのメッセージを選択的にデコードする第５のモジュールと
を備え、
前記選択されたサブセットは、前記複数のリソースブロックを含む、少なくとも１つのプロセッサ。
[C31]
通信ネットワークにおける干渉を緩和させるために、送信デバイスを動作させるための方法において、
識別子の関数として、自由度の複数の排他的なサブセットのうちから、サブセットを選択することと、前記選択されたサブセットを使用して、前記受信機デバイスに対して信号を送信することとを含み、
前記識別子は、送信機デバイス、受信機デバイス、または、これらの組み合わせのうちの少なくとも１つによって決定され、
自由度は、前記通信ネットワークの通信リソースユニットに対応する方法。
[C32]
前記通信リソースは、前記自由度の複数の排他的なサブセットへと分割され、前記複数の排他的なサブセットは固定されている、請求項３１記載の方法。
[C33]
前記選択されたサブセットは、複数のリソースブロックを含み、それぞれのリソースブロックは、いくつかの自由度を含み、
前記方法は、
前記識別子の関数として、前記複数のリソースブロックのそれぞれの内で、少なくとも１つの自由度を選択することをさらに含み、
前記信号は、前記選択された自由度中で送信される、請求項３１記載の方法。
[C34]
前記信号は、前記選択された自由度中で、位相および振幅変調スキームのうちの少なくとも１つを使用して送信され、
前記方法は、
前記選択された自由度のうちの少なくとも１つにおいて、パイロットを送信することをさらに含む、請求項３３記載の方法。
[C35]
リソースブロック内の自由度の数は固定されており、すべてのリソースブロックに対して同一であり、それぞれのリソースブロック内の選択された自由度の数は、前記リソースブロック内の自由度の数の半分より少ない、請求項３３記載の方法。
[C36]
前記リソースブロック内の自由度の数は少なくとも４つであり、それぞれのリソースブロック内で、１つの自由度が選択される、請求項３５記載の方法。
[C37]
前記選択された自由度は、時間的にオーバーラップしない、請求項３３記載の方法。
[C38]
前記送信信号はＯＦＤＭ信号であり、自由度はＯＦＤＭシンボル中のトーンである、請求項３１記載の方法。
[C39]
前記送信された信号は、ページング信号であり、前記識別子は、前記受信機デバイスのページング識別子である、請求項３１記載の方法。
[C40]
ワイヤレス通信装置において、
選択された識別子の関数として、自由度の複数の排他的なサブセットのうちから、サブセットを選択することと、
前記選択されたサブセットを使用して、前記受信機デバイスに対して信号を送信することとに関連する命令を保持するメモリと、
前記メモリに結合されており、前記メモリ中に保持されている命令を実行するように構成されているプロセッサと
を具備し、
自由度は、前記通信ネットワークの通信リソースユニットに対応する、
ワイヤレス通信装置。
[C41]
前記選択されたサブセットは、複数のリソースブロックを含み、それぞれのリソースブロックは、いくつかの自由度を含み、
前記メモリは、
前記識別子の関数として、前記複数のリソースブロックのそれぞれの内で、少なくとも１つの自由度を選択することに関連するさらなる命令を保持し、
前記信号は、前記選択された自由度中で送信される、請求項４０記載のワイヤレス通信装置。
[C42]
前記メモリは、
前記選択された自由度のうちの少なくとも１つにおいて、パイロットを送信することに関連するさらなる命令を保持し、
前記信号は、前記選択された自由度中で、位相および振幅変調スキームのうちの少なくとも１つを使用して送信される、請求項４１記載のワイヤレス通信装置。
[C43]
それぞれのリソースブロック内の自由度の数は固定されており、すべてのリソースブロックに対して同一であり、それぞれのリソースブロック内の選択された自由度の数は、前記リソースブロック内の自由度の数の半分より少ない、請求項４１記載のワイヤレス通信装置。
[C44]
通信ネットワークにおける干渉を緩和するワイヤレス通信装置において、
識別子の関数として、自由度の複数の排他的なサブセットのうちから、サブセットを選択する手段と、
前記選択されたサブセットを使用して、信号を伝送する手段とを具備し、
自由度は、前記通信ネットワークの通信リソースユニットに対応する、ワイヤレス通信装置。
[C45]
前記選択されたサブセットは、複数のリソースブロックを含み、それぞれのリソースブロックは、いくつかの自由度を含み、
前記装置は、
前記識別子の関数として、前記複数のリソースブロックのそれぞれの内で、少なくとも１つの自由度を選択する手段をさらに具備し、
前記信号は、前記選択された自由度中で送信される、請求項４４記載のワイヤレス通信装置。
[C46]
前記信号は、前記選択された自由度中で、位相および振幅変調スキームのうちの少なくとも１つを使用して送信され、
前記伝送する手段は、
前記選択された自由度のうちの少なくとも１つにおいて、パイロットを送信する、請求項４５記載のワイヤレス通信装置。
[C47]
コンピュータ読取可能媒体を有するコンピュータプログラム製品において、
前記コンピュータ読取可能媒体は、
コンピュータに、識別子の関数として、自由度の複数の排他的なサブセットのうちから、サブセットを選択させるための第１の組のコードと、
前記コンピュータに、前記選択されたサブセットを使用して、受信機デバイスに対して信号を送信させるための第２の組のコードとを含み、
前記識別子は、送信機デバイス、受信機デバイス、または、これらの組み合わせのうちの少なくとも１つによって決定され、
自由度は、通信ネットワークの通信リソースユニットに対応し、
前記通信リソースは、前記自由度の複数の排他的なサブセットへと分割され、
前記複数の排他的なサブセットは固定されている、コンピュータプログラム製品。
[C48]
前記選択されたサブセットは、複数のリソースブロックを含み、それぞれのリソースブロックは、いくつかの自由度を含み、
前記コンピュータ読取可能媒体は、
前記コンピュータに、識別子の関数として、前記複数のリソースブロックのそれぞれの内で、少なくとも１つの自由度を選択させるための第３の組のコードをさらに含み、前記信号は、前記選択された自由度中で送信される、請求項４７記載のコンピュータプログラム製品。
[C49]
前記信号は、前記選択された自由度中で、位相および振幅変調スキームのうちの少なくとも１つを使用して送信され、
前記コンピュータ読取可能媒体は、
前記コンピュータに、前記選択された自由度のうちの少なくとも１つにおいて、パイロットを送信させるための第３の組のコードをさらに含む、請求項４７記載のコンピュータプログラム製品。
[C50]
中央スケジューラを持たない通信ネットワークにおける干渉を緩和するように構成されている少なくとも１つのプロセッサにおいて、
識別子の関数として、自由度の複数の排他的なサブセットのうちから、サブセットを選択する第１のモジュールと、
前記選択されたサブセットを使用して、受信機デバイスに対して信号を送信する第２のモジュールとを備え、
前記識別子は、送信機デバイスまたは受信機デバイスのうちの少なくとも１つによって決定され、
自由度は、前記通信ネットワークの通信リソースユニットに対応し、
前記送信信号は、ページング信号であり、
前記識別子は、前記受信機デバイスのページング識別子である、少なくとも１つのプロセッサ。
【図１】
0005529259.tif 000002
【図２】
0005529259.tif 000003
【図３】
0005529259.tif 000004
【図４】
0005529259.tif 000005
【図５】
0005529259.tif 000006
【図６】
0005529259.tif 000007
【図７】
0005529259.tif 000008
【図８】
0005529259.tif 000009
【図９】
0005529259.tif 000010
【図１０】
0005529259.tif 000011
【図１１】
0005529259.tif 000012
【図１２】
0005529259.tif 000013
【図１３】
0005529259.tif 000014
【図１４】
0005529259.tif 000015